(57)【要約】      （修正有）【課題】遊技盤にかかる各種構成を好適なものとすることができる遊技機を提供する。【解決手段】パチンコ機には、遊技盤ユニット８０が搭載されてなる内枠と、内枠を遊技機前方から覆う前扉枠とを備えている。遊技盤ユニット８０は、前面に遊技領域ＰＥが形成された遊技盤８０ａを有している。遊技盤８０ａには、同遊技盤８０ａの前面から前方へ起立しており、遊技盤８０ａの前面において、遊技領域ＰＥ及びその遊技領域ＰＥへ遊技球を誘導する誘導通路１０３を区画形成する誘導レール１００が設けられている。遊技盤８０ａは合成樹脂材料を用いて射出成形されており、同遊技盤８０ａと上記誘導レール１００とが一体成形されている。【選択図】図６
2014050496.tif 000002
【特許請求の範囲】
【請求項１】
前面に遊技領域が形成された遊技盤を備え、
前記遊技盤には、当該遊技盤の前面側及び背面側の少なくとも何れかに突出するようにして遊技盤構成部が設けられており、
前記遊技盤及び前記遊技盤構成部は合成樹脂材料を用いて一体成形されていることを特徴とする遊技機。
【請求項２】
前記遊技盤構成部は、前記遊技盤の前面側へ突出しており、遊技球が当たることで同遊技球の移動方向を変化させるものであることを特徴とする請求項１に記載の遊技機。
【請求項３】
前記遊技盤構成部は、前記遊技盤の前面から前方へ起立しており、同遊技盤の前面において、遊技領域及びその遊技領域へ遊技球を誘導する誘導部を区画形成する区画壁部であることを特徴とする請求項１又は請求項２に記載の遊技機。
【請求項４】
前記遊技盤を支持する支持枠と、
前記遊技盤を遊技機前方から覆う扉体と
を備え、
前記支持枠及び前記扉体の少なくとも何れかには、前記区画壁部に前記誘導部とは反対側から対向する対向部が設けられており、
当該対向部は、前記区画壁部が当接することで同区画壁部の反誘導部側への変形を規制するように構成されていることを特徴とする請求項３に記載の遊技機。
【請求項５】
前記区画壁部は、当該区画壁部の基端部を中心として撓み変形可能となるように構成されており、
前記対向部は、前記区画壁部に隙間を隔てて対向しており、前記区画壁部が反誘導部側に所定量以上に撓んだ場合に、同区画壁部のそれ以上の撓み変形を規制するように構成されていることを特徴とする請求項４に記載の遊技機。
【請求項６】
前記対向部は、前記扉体に設けられた扉体側対向部を有してなり、
前記扉体側対向部は、前記区画壁部が同区画壁部の基端部を中心として撓み変形した場合に、当該区画壁部の先端部に当接するように形成されていることを特徴とする請求項５に記載の遊技機。
【請求項７】
前記遊技盤が前記支持枠に対して遊技機前方から着脱される構成となっており、
前記遊技盤は略矩形状をなしているとともに、前記遊技領域は略円形状をなしており、
前記区画壁部は、前記遊技盤の一辺側に凸となる円弧状をなしており、
前記対向部として、前記扉体に設けられた扉体側対向部と前記支持枠に設けられた支持枠側対向部とを有してなり、
前記支持枠側対向部は、前記区画壁部において少なくとも前記一辺側に凸となっている部分に対向するようにして配設されており、
前記扉体側対向部は、前記区画壁部において前記凸となっている以外の部分に対向するようにして配設されていることを特徴とする請求項４乃至請求項６のいずれか１つに記載の遊技機。
【請求項８】
前記遊技盤は、当該遊技盤の厚さ方向に並設された固定型及び可動型を用いて射出成形されており、
前記可動型の移動方向は前記厚さ方向と同じ方向となるように設定されており、
前記遊技盤の前記区画壁部は、型抜き用の勾配により同区画壁部の基端部が先端部よりも厚くなるように形成されていることを特徴とする請求項４乃至請求項７のいずれか１つに記載の遊技機。
【請求項９】
前記扉体には、前記遊技盤を遊技機前方から透視可能に形成された透明パネルが設けられており、
前記透明パネルと前記遊技盤との間に設けられ、前記遊技盤の前面と対向する対向面を有し、前記誘導部を遊技機前方から覆うカバー部を備えていることを特徴とする請求項８に記載の遊技機。
【請求項１０】
発射された遊技球は前記誘導部の出口部分を通じて前記遊技領域に到る構成となっており、
前記カバー部において前記誘導部の出口部分を覆っている部分を含む特定範囲には、
遊技盤の前面との距離が小さくなるように傾斜する傾斜面が形成されていることを特徴とする請求項９に記載の遊技機。
【発明の詳細な説明】
【技術分野】
【０００１】
本発明は、遊技機に関するものである。
【背景技術】
【０００２】
パチンコ機等の遊技機には、前面に遊技領域が形成された木製の遊技盤を枠体に搭載してなるものがある。遊技者の発射操作に基づいて発射された遊技球が遊技領域に設けられた入球部に入賞することにより、当否抽選や遊技球の払出し等の特典が遊技者に付与される（例えば特許文献１参照）。
【０００３】
この種の遊技機には、入球部への入賞を契機として図柄の変動表示を行う図柄表示装置、図柄の変動表示に合わせて発光したり動作したりすることにより当否抽選結果の示唆等を行う遊技部品が遊技領域に配置されることにより遊技機への注目度の向上が図られているものがある。
【０００４】
更に近年では、遊技盤を木材に代えて透明な合成樹脂材料等を用いて型形成（例えば射出成形）し、遊技盤の背後に発光部や装飾部等の遊技部品を設けることで、遊技盤の前面側にそれら各種部材を配置する場合と比較して遊技領域の圧迫を抑えつつ見栄え等の向上が図られている。
【先行技術文献】
【特許文献】
【０００５】
【特許文献１】特開２００３−１９０５１１号公報
【発明の概要】
【発明が解決しようとする課題】
【０００６】
しかしながら、合成樹脂製の遊技盤を有する遊技機においては、上記各種効果を享受し得るものの、その構造には未だ改善の余地がある。
【０００７】
本発明は、上記例示した事情等に鑑みてなされたものであり、遊技盤にかかる各種構成を好適なものとすることができる遊技機を提供することを目的とするものである。
【課題を解決するための手段】
【０００８】
以下、上記課題を解決するための手段について記載する。
【０００９】
請求項１に記載の発明は、
前面に遊技領域が形成された遊技盤を備え、
前記遊技盤には、当該遊技盤の前面側及び背面側の少なくとも何れかに突出するようにして遊技盤構成部が設けられており、
前記遊技盤及び前記遊技盤構成部は合成樹脂材料を用いて一体成形されていることを特徴とする。
【発明の効果】
【００１０】
遊技盤にかかる各種構成を好適なものとすることができる。
【図面の簡単な説明】
【００１１】
【図１】一実施の形態におけるパチンコ機を示す正面図である。
【図２】パチンコ機を前方から見た斜視図である。
【図３】パチンコ機の主要な構成を展開して示す斜視図である。
【図４】パチンコ機の主要な構成を展開して示す斜視図である。
【図５】内枠の構成を示す正面図である。
【図６】遊技盤ユニットの構成を示す正面図である。
【図７】内枠の構成を示す背面図である。
【図８】パチンコ機の背面図である。
【図９】裏パックユニットを示す正面図である。
【図１０】開放された前扉枠と遊技盤ユニット及び挿入部との位置関係を示す概略図である。
【図１１】（ａ）図５のＡ−Ａ線部分断面図、（ｂ）従来の遊技機における誘導レールの取り付け構造を示す概略図、（ｃ）本実施の形態における誘導レールの構造を示す概略図である。
【図１２】（ａ）誘導レールとストッパ部との関係を示す概略図、（ｂ）前扉枠を開閉する際の誘導レールとストッパ部との位置関係の変化を示す概略図である。
【図１３】（ａ）誘導通路とカバー部との関係を示す水平断面図、（ｂ）誘導通路の出口部分におけるカバー部の構造を示す断面図である。
【図１４】図６のＣ−Ｃ線部分断面図である。
【発明を実施するための形態】
【００１２】
以下、遊技機の一種であるパチンコ遊技機（以下、「パチンコ機」という）の実施の形態を、図面に基づいて詳細に説明する。図１はパチンコ機１０の正面図、図２はパチンコ機１０を正面側から見た斜視図、図３及び図４はパチンコ機１０の主要な構成を展開して示す斜視図である。なお、図３では便宜上パチンコ機１０における遊技領域内の構成を一部省略している。
【００１３】
図１に示すように、パチンコ機１０は、当該パチンコ機１０の外殻を形成する外枠１１と、この外枠１１に取り付けられた遊技機主部１２とにより構成されている。
【００１４】
外枠１１は、図２に示すように長尺状のフレーム材を四辺に連結し構成されるものであって全体として矩形枠状をなすように形成されている。この外枠１１を島設備に取り付け固定することにより、パチンコ機１０が遊技ホールに設置される。なお、パチンコ機１０において外枠１１は必須の構成ではなく、遊技ホールの島設備等に外枠１１が備え付けられた構成としてもよい。
【００１５】
遊技機主部１２は、外枠１１によって開閉可能な状態で支持されている。具体的には、外枠１１における上枠部と左枠部との連結部分に上側支持用金具１７が固定されており、さらに外枠１１における下枠部と左枠部との連結部分に下側支持用金具１８が設けられている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている（図３及び図４参照）。
【００１６】
図３及び図４に示すように、遊技機主部１２は、ベース体としての内枠１３と、その内枠１３の前方に配置される前扉枠１４と、内枠１３の後方に配置される裏パックユニット１５とを備えている。なお、遊技機主部１２のうち内枠１３が外枠１１に対して回動可能に支持されている。詳細には、遊技機正面視で左側を回動基端側とし右側を回動先端側として内枠１３が前方へ回動可能とされている。
【００１７】
内枠１３には、前扉枠１４が回動可能な状態で支持されている。具体的には、遊技機正面視で左側を回動基端側とし右側を回動先端側として前方へ回動可能とされている。また、内枠１３には、裏パックユニット１５が回動可能に支持されており、遊技機正面視で左側を回動基端側とし右側を回動先端側として後方へ回動可能とされている。
【００１８】
（前扉枠１４）
次に、前扉枠１４について説明する。図１に示すように、前扉枠１４は、外形が外枠１１とほぼ同一形状をなす合成樹脂製の枠体２０を主体に構成されており、内枠１３における前面のほぼ全域を遊技機前方から覆っている。枠体２０の中央部分には後述する遊技領域ＰＥのほぼ全域を前方から視認することができるようにした略楕円状の窓部２１が形成されており、窓部２１はガラスユニット２２によって同前扉枠１４の背面側から覆われている。
【００１９】
ここでガラスユニット２２及びその取付構造について補足説明する。図３に示すように、枠体２０には窓部２１を囲むようにしてガラスユニット設置部が形成されている。詳しくは、ガラスユニット設置部は、枠体２０の背面側に位置しているとともにパチンコ機１０の前方に向けて凹んでおり、その底部に上記窓部２１が形成されているとも言える。ガラスユニット２２は、ガラスユニット設置部に嵌まることで上下方向及び左右方向への変位が規制されている。
【００２０】
ガラスユニット２２は、透明性を有する複数（詳しくは２枚）のガラスパネル２３と、それらガラスパネル２３を保持するガラスホルダ２４とを備えている。ガラスホルダ２４は、窓部２１の周縁に沿って形成された環状の枠部２４ａを有しており、同枠部２４ａによって囲まれた領域にガラスパネル２３が収容されている。
【００２１】
より具体的には、枠部２４ａには、上記囲まれた領域を前後に仕切る仕切り部が形成されている。仕切り部は枠部２４ａの中央側へ起立するとともに当該枠部の周方向に延びる突条をなしており、この仕切り部によってガラスパネル２３を個別に収容する収容部が区画形成されている。
【００２２】
各ガラスパネル２３は、仕切り部を挟んで相対向した状態で、同仕切り部に対して接着されている。これにより、ガラスパネル２３の間に所定の隙間が確保され、ガラスパネル２３同士の干渉を回避しつつ、それらガラスパネル２３によって遊技領域ＰＥをパチンコ機１０の正面側から２重に覆った状態となっている。
【００２３】
また、枠部２４ａには、ガラスパネル２３を収容している側とは反対側に突出するようにして枠体２０に対する取付部が複数形成されている。複数の取付部のうちの一部は枠体２０の背面に対向する板状をなしており、前扉枠１４の枠体２０にはこれら取付部を同枠体２０との間に挟んだ状態で保持する（ガラス設置部からの脱落を規制する）レバー部材が配設されている。これにより、ガラスユニット２２を枠体２０に固定する際に、同ガラスユニット２２を手で支える必要が無くなり、固定作業の煩雑化が回避されている。
【００２４】
取付部には、固定用のネジが挿通される貫通孔が形成されており、同貫通孔に挿通されたネジが枠体２０に螺着されることでガラスユニット２２が枠体２０に一体化されている。
【００２５】
なお、ガラスユニット２２におけるガラスパネルの枚数は任意であり、１枚としてもよいし、３枚以上としてもよい。但し、安全性及び防犯性向上に鑑みれば、複数のガラスパネルを採用し、それら各ガラスパネルを所定の隙間を挟んで前後に対向させることが好ましい。因みに、ガラスパネルに代えて透明性を有する合成樹脂性のパネル部材を採用することも可能である。
【００２６】
ガラスユニット２２（詳しくは窓部２１）の周囲には、各種ランプ等の発光手段が設けられている。例えば、窓部２１の周縁に沿ってＬＥＤ等の発光手段を内蔵した環状電飾部２６が設けられている。環状電飾部２６では、大当たり時や所定のリーチ時等における遊技状態の変化に応じて点灯や点滅が行われる。また、環状電飾部２６の中央であってパチンコ機１０の最上部にはエラー等の不具合が発生した場合に点灯するエラー表示ランプ部２７が設けられ、さらにその左右には賞球払出中に点灯する賞球ランプ部２８が設けられている。また、左右の賞球ランプ部２８に近接した位置には、遊技状態に応じた効果音やＢＧＭ等などが出力されるスピーカ部２９が設けられている（図３参照）。
【００２７】
前扉枠１４（枠体２０）における窓部２１の下方には、手前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている（図２参照）。上皿３３は、後述する払出装置より払い出された遊技球を一旦貯留し、一列に整列させながら後述する遊技球発射機構へ導くための機能を有する。また、下皿３４は、上皿３３内にて余剰となった遊技球を貯留する機能を有する。
【００２８】
下側膨出部３２の右方には、手前側へ突出するようにして遊技球発射ハンドル４１が設けられている。遊技球発射ハンドル４１が操作されることにより、後述する遊技球発射機構から遊技球が発射される。なお、遊技球の発射速度は、遊技球発射ハンドル４１の操作量が大きくなるに従って速くなり、この操作量を遊技者が調整することで、後述する右ルートと左ルートへの遊技球の打ち分けが可能となる。
【００２９】
図３に示すように、前扉枠１４の背面には、通路形成ユニット４５が取り付けられている。通路形成ユニット４５は、合成樹脂により成形されており、上皿３３に通じる前扉側上皿通路と、下皿３４に通じる前扉側下皿通路とを有してなる。通路形成ユニット４５において、その上側隅部には後方に突出し上方に開放された受口部が形成されており、当該受口部を仕切壁によって左右に仕切ることで前扉側上皿通路の入口部分と前扉側下皿通路の入口部分とが区画形成されている。前扉側上皿通路及び前扉側下皿通路は上流側が後述する遊技球分配部に通じており、前扉側上皿通路に入った遊技球は上皿３３に導かれ、前扉側下皿通路に入った遊技球は下皿３４に導かれる。
【００３０】
前扉枠１４の背面における回動基端側には、その上端部及び下端部に突起軸が設けられている。これら突起軸は内枠１３に対する組付機構を構成する。
【００３１】
次に、図５に基づき内枠１３について詳細に説明する。図５は内枠１３の正面図である。なお、図５においては図３と同様に便宜上パチンコ機１０の遊技領域ＰＥ内の構成を一部省略している。
【００３２】
（内枠１３）
内枠１３は、外形が外枠１１と同様に略矩形状をなす樹脂ベース５０を主体に構成されている。樹脂ベース５０の高さ寸法は、外枠１１の高さ寸法よりも若干小さく設定されている。また、樹脂ベース５０は外枠１１の上枠部に寄せて配置され、外枠１１の下枠部と樹脂ベース５０との間には若干の隙間が形成されている。外枠１１にはこの隙間を塞ぐようにして幕板が装着されている。幕板は、樹脂ベース５０（詳しくはその下端部）の下方に配置されており、内枠１３が外枠１１に対して閉じられた状態では樹脂ベース５０が幕板の上に載ることとなる。なお、幕板と樹脂ベース５０との間に相互干渉の防止等を目的として若干のクリアランスを設けてもよい。
【００３３】
樹脂ベース５０の前面における回動基端側（図５の左側）には、その上端部及び下端部に支持金具７１，７２が取り付けられている。また、前扉枠１４の背面における回動基端側（図５の右側）には、それら支持金具７１，７２に対応させて軸受け金具５７，５８が設けられている。支持金具７１，７２には軸部が形成されており、それら軸部が前扉枠１４の軸受け金具５７，５８の軸受け孔に挿入されることで内枠１３に対して前扉枠１４が回動可能に支持されている。つまり、これら支持金具７１，７２及び軸受け金具５７，５８は内枠１３に対する組付機構を構成している。
【００３４】
樹脂ベース５０の回動先端側（図５の右側）には、内枠１３や前扉枠１４を施錠状態とするための施錠装置７５が配設されている。
【００３５】
施錠装置７５は、前扉枠１４に向けて延びる複数の前扉用鉤部材７６を有している。これら前扉用鉤部材７６に対応させて、前扉枠１４（詳しくは枠体２０）の背面には内枠１３側に延びる鉤受け部材５９が複数設けられている（図３参照）。前扉用鉤部材７６が鉤受け部材５９に引っ掛かることにより前扉枠１４が閉じた状態で施錠される。また、図４に示すように、施錠装置７５は、内枠１３の後方へ延びる内枠用鉤部材７７を有している。これら内枠用鉤部材７７が外枠１１の鉤受け部材１９に引っ掛かることにより遊技機主部１２が外枠１１に対して閉じた状態で施錠される。
【００３６】
樹脂ベース５０の右下隅部には、施錠装置７５の解錠操作を行うためのシリンダ錠７８が設置されている。シリンダ錠７８は、その先端部分（鍵穴部分）が上記前扉枠１４に設けられた孔部を通じてパチンコ機１０の前方に露出するように配置されている。シリンダ錠７８の鍵穴に差し込んだキーを右に回すことで内枠１３に対する前扉枠１４の施錠が解除され、同キーを左に回すことで外枠１１に対する内枠１３の施錠が解除される。
【００３７】
樹脂ベース５０の前面における略中央部分には、遊技盤ユニット８０を収容する収容凹部５１が形成されている。収容凹部５１は遊技盤ユニット８０の外形に合わせて遊技機後方に窪んでおり、遊技盤ユニット８０はこの収容凹部５１に遊技機前方から嵌まった状態で手動式のロック機構によって固定されている。これにより、遊技盤ユニット８０が樹脂ベース５０に一体化されている。
【００３８】
収容凹部５１は、遊技盤ユニット８０の背面に対向する平板状の対向板部（底部）５２と、同対向板部５２から遊技機前方へ起立し遊技盤ユニット８０の周縁に沿って延びる周壁部５３とによって構成されている。対向板部５２には、略矩形状の中央開口５４（図７参照）が形成されており、この中央開口５４を通じて遊技盤ユニット８０の背面構成が内枠１３の後方に突出している。なお、この中央開口５４については、樹脂ベース５０に装着された遊技盤ユニット８０によってそのほぼ全域が遊技機前方から覆われた状態となっている。
【００３９】
周壁部５３は、遊技盤ユニット８０（詳しくは後述する遊技盤８０ａ）における上下左右の各端面に対して個々に対向する上側壁部５５，下側壁部５６，左側壁部５７，右側壁部５８が連なってなり、全体として遊技盤ユニット８０を囲む環状をなしている。なお、周壁部５３は中央開口５４を囲むようにして形成されているとも言える。
【００４０】
（遊技盤ユニット８０）
遊技盤ユニット８０は、透明性を有する（詳しくは無色透明）な合成樹脂材料によって形成された略平板状の遊技盤８０ａと、ベース体としての遊技盤８０ａの背面側に設けられ同遊技盤８０ａに隙間を隔てて対向する装飾板と、後述する可変表示ユニットや複数の制御装置とを有し、それら各種構成等が一体化されてなる。遊技盤８０ａを透明とし、その背後に装飾板を配することで、同装飾板を遊技盤８０ａを通じて視認可能となっている。かかる構成とすることにより、木製の板材の前面に各種模様が付与されたシート材を張りつけられてなる従来タイプの遊技盤と比較して、遊技盤ユニット８０の見栄えの向上が図られている。
【００４１】
遊技盤８０ａは、収容凹部５１に設置された状態にてその前面が樹脂ベース５０の正面側に露出している。この露出している部位には、すなわち遊技盤８０ａの前面には、遊技球が流下する遊技領域ＰＥが形成されている。既に説明したように遊技領域ＰＥはガラスパネル２３によって覆われている。後側のガラスパネル２３は、遊技盤８０ａの前面との隙間が遊技球の直径よりも大きくなるように、すなわち遊技領域ＰＥを流下する遊技球が同遊技領域ＰＥの同一箇所にて前後に並ばないように配置されている。これにより、遊技領域ＰＥでの球詰まりを抑制している。
【００４２】
図６に基づき遊技盤８０ａ（特に遊技領域ＰＥに設けられた各種構成）について説明する。図６は遊技盤８０ａの正面図である。
【００４３】
遊技盤８０ａには、自身の厚さ方向（前後方向）に貫通する大小複数の開口が形成されている。各開口には、一般入賞口８１、可変入賞装置８２、作動口８３ａ，８３ｂ、スルーゲート８４及び可変表示ユニット８５等がそれぞれ設けられている。一般入賞口８１、可変入賞装置８２及び作動口８３ａ，８３ｂに遊技球が入ると、それら遊技球が後述する検知センサにより検知され、その検知結果に基づいて所定数の賞球の払い出し等の特典が遊技者に付与される。その他に、遊技盤８０ａの最下部にはアウト口８９が設けられており、各種入賞口等に入らなかった遊技球はアウト口８９を通って遊技領域ＰＥから排出される。以下の説明では、アウト口８９への遊技球の入球と明確に区別するために、一般入賞口８１、可変入賞装置８２、作動口８３ａ，８３ｂへの遊技球の入球を、入賞とも表現する。
【００４４】
また、遊技盤８０ａには、遊技球の流下経路を適宜分散，調整等するために多数の釘が植設されているとともに、風車等の各種部材（役物）が配設されている。これら釘や風車等の各種構成によって遊技球の流下経路が分化され、上述した一般入賞口８１等への入賞が適度な確率で発生するように調整されている。
【００４５】
上記可変表示ユニット８５は遊技盤８０ａの略中央に配されており、同可変表示ユニット８５の下方に作動口８３ａ，８３ｂ等が配設されている。作動口８３ａ，８３ｂは、可変表示ユニット８５の直下に配設された上作動口８３ａと、上作動口８３ａの直下に配設された下作動口８３ｂとによって構成されており、特に下作動口（抽選契機入球部）８３ｂには、開閉式の入球補助装置（入球補助手段）又は開閉部材（開閉手段）としての電動役物９１が設けられている。電動役物９１は、左右一対の可動片と同可動片を駆動させるソレノイド式の駆動部とを有してなり、下作動口８３ｂへの入球が可能又は容易となる開状態（補助状態）と、同入球が不可又は困難となる閉状態（非補助状態）とに切替可能となっている。
【００４６】
この下作動口８３ｂよりも上流側（詳しくは可変表示ユニット８５の側方）には上記スルーゲート８４が配置されており、遊技球のスルーゲート８４の通過をトリガとした抽選にて当選となった場合には、電動役物９１が所定時間だけ閉状態から開状態に切り替えられることとなる。
【００４７】
なお、上作動口８３ａへの入球が発生した場合には３個の遊技球の払出が実行され、下作動口８３ｂへの入球が発生した場合には４個の遊技球の払出が実行されるが、遊技球の払出個数は上記のものに限定されることはない。但し、上作動口８３ａに対する下作動口８３ｂの有利性を高める上では、上作動口８３ａに係る払出個数よりも下作動口８３ｂに係る払出個数を多く設定することが好ましい。
【００４８】
可変入賞装置（特別入球装置又は特別入球手段）８２には、遊技盤８０ａの背面側へと通じる大入賞口８２ａが形成されているとともに、当該大入賞口８２ａを開閉する開閉部材（開閉手段）としての開閉扉８２ｂが設けられている。開閉扉８２ｂは、遊技球の入球が可能又は容易となる開状態（補助状態）と、同入球が不可又は困難となる閉状態（非補助状態）とに切替可能となっている。また、同開閉扉８２ｂは、遊技盤８０ａの背面側に設けられた可変入賞駆動部８２ｃ（詳しくはソレノイド）と連結されており、通常時においては開閉扉８２ｂは閉状態のまま維持され、内部抽選において開閉実行モード（開閉実行状態）への移行に当選した場合に（大当たり：通常の遊技状態よりも遊技者に有利な特別遊技状態への移行に当選した場合に）開状態に切り替えられるようになっている。
【００４９】
ここで、開閉実行モードとは、大当たり当選となった場合に移行することとなるモードである。当該開閉実行モードにおける可変入賞装置８２の開放態様としては、例えば所定時間（例えば３０ｓｅｃ）の経過又は所定個数（例えば１０個）の入賞を１ラウンドとして、複数ラウンド（例えば６ラウンドや１６ラウンド）を上限とした開閉扉８２ｂ等の開放が繰り返されるように設定されているものがある。
【００５０】
次に、可変表示ユニット８５について説明する。可変表示ユニット８５は、作動口８３ａ，８３ｂへの入賞をトリガとして図柄を可変表示（変動表示）する図柄表示装置９４を有している。図柄表示装置９４は、液晶ディスプレイを備えた液晶表示装置として構成されており、後述する表示制御装置によりその表示内容が制御される。図柄表示装置９４には、例えば上、中及び下に並べて図柄が表示され、これらの図柄が左右方向にスクロールされるようにして変動表示されるようになっている。そして、大当たりに当選した場合には、予め設定されている有効ライン上に所定の組み合わせの図柄が停止表示され、上記開閉実行モード（特別遊技状態又は大当たり）に移行することとなる。なお、図柄表示装置９４については必ずしも液晶表示装置である必要はなく、ドットマトリクスや７セグタイプの表示装置であってもよい。
【００５１】
遊技盤８０ａには中央開口の周縁部分に沿うようにして、より具体的には図柄表示装置９４を上方から囲むようにして囲み部９５が設けられている。囲み部９５は、遊技盤８０ａの前面から遊技機前方に隆起しており全体として門型をなしている。囲み部９５の前面部分と上記ガラスユニット２２との間の隙間寸法は遊技球の直径寸法よりも小さくなるように構成されており、遊技領域ＰＥを流下する遊技球が図柄表示装置９４に衝突することが回避され、且つ遊技領域ＰＥを流下する遊技球の流下経路が可変表示ユニット８５（詳しくは囲み部９５）を右側から迂回するルートと、左側から迂回するルートに大別されている。
【００５２】
囲み部９５の下方であって中央開口の下端縁には、遊技球が転動可能なステージ部９６が設けられている。ステージ部９６は遊技盤８０ａの中央開口を構成している面部及び当該端面から後方に延出する延出部によって構成されている。囲み部９５には遊技球が流入可能な流入口としての開口部９５ａが形成されており、この開口部９５ａに流入した遊技球は、後述する誘導通路を通じて、ステージ部９６に誘導される構成となっている。ステージ部９６は横長に形成されており遊技球が転動する際のストロークが図柄表示装置９４の表示画面９４ａの横幅とほぼ同一となっている。
【００５３】
ステージ部９６において遊技機前方を向いている部分（前面部）には、第１保留ランプ部９８ａ及び第２保留ランプ部９８ｂが設けられている。第１保留ランプ部９８ａは、上作動口８３ａに対応しており遊技球が上作動口８３ａを通過した回数は最大４回まで保留され第１保留ランプ部９８ａの点灯によってその保留数が表示されるようになっている。第２保留ランプ部９８ｂは、下作動口８３ｂに対応しており、遊技球が下作動口８３ｂを通過した回数は最大４回まで保留され第２保留ランプ部９８ｂの点灯によってその保留数が表示されるようになっている。
【００５４】
作動口８３ａ，８３ｂは、可変表示ユニット８５寄りとなる位置に配置されている。作動口８３ａ，８３ｂへの入賞をトリガとして、特別遊技状態に移行し得るため、遊技者は作動口８３ａ，８３ｂに入賞するか否かに注目するとともに、特別遊技状態に移行するか否かを把握するため図柄表示装置９４に注目するものと考えられる。作動口８３ａ，８３ｂを可変表示ユニット８５寄りに設けたことは、遊技者が注目したい箇所を可変表示ユニット８５周辺に集中させるための工夫である。
【００５５】
遊技盤８０ａにおける右側の端部（後述する遊技盤８０aの回動先端部）には後述する誘導レール部１００とともに遊技領域ＰＥを区画形成する遊技領域区画部９９が設けられている。遊技領域区画部９９には、主表示ユニット８７や誘導レール部１００に沿って飛翔した遊技球が衝突するストッパ部材８８が配設されている。
【００５６】
ストッパ部材８８については誘導レール部１００の先端付近に配置された緩衝部材であり、当該ストッパ部材８８に衝突した遊技球はその勢いが弱められた後、遊技領域ＰＥを流下することとなる。つまり、ストッパ部材８８には衝突した遊技球の勢いを弱める減勢機能が付与されている。
【００５７】
ここで、主表示ユニット８７について補足説明する。主表示ユニット８７は遊技領域区画部９９に埋設されており、その一部がガラスユニット２２と対向するように配置されている。この対向している部分には、所定の絵柄等が表示される主表示部Ｄが設けられている。主表示ユニット８７については、後述する主制御装置に電気的に接続されており、主表示部Ｄの表示内容は当該主制御装置によって制御される構成となっている。
【００５８】
主表示部Ｄは、上作動口８３ａへの入賞に基づいた抽選結果を表示する上作動口用表示部と、下作動口８３ｂへの入賞に基づいて行われた抽選結果を表示する下作動口用表示部とを有してなる。上作動口用表示部では、上作動口８３ａへの入賞をトリガとして絵柄の変動表示が行われ、その変動表示の停止結果として、上作動口８３ａへの入賞に基づいて行われた内部抽選の結果が明示される。上作動口８３ａへの入賞に基づく内部抽選の結果が開閉実行モードへの移行に対応した当選結果であった場合には、上作動口用表示部にて変動表示が停止され、停止結果として所定の絵柄が表示された後に、上記開閉実行モードへ移行される。
【００５９】
下作動口用表示部では、下作動口８３ｂへの入賞をトリガとして絵柄の変動表示が行われ、その変動表示の停止結果として、下作動口８３ｂへの入賞に基づいて行われた内部抽選の結果が明示される。下作動口８３ｂへの入賞に基づく内部抽選の結果が大当たりに対応した当選結果であった場合には、下作動口用表示部にて変動表示が停止され、停止結果として所定の絵柄が表示された後に、その結果に応じて上記開閉実行モードへ移行される。
【００６０】
ここで、いずれかの作動口８３ａ，８３ｂへの入賞に基づいて、対応する作動口用表示部にて変動表示が開始され、所定の停止結果を表示し上記変動表示が停止されるまでが遊技回の１回に相当する。但し、遊技回の１回は、上記の内容に限定されることはなく、例えば、単一の表示領域が設けられ、いずれの作動口８３ａ，８３ｂへの入賞が発生したとしてもその単一の表示領域にて変動表示が行われる構成においては、当該単一の表示領域にて変動表示が開始され、所定の停止結果を表示した状態で上記変動表示が停止されるまでを遊技回の１回とすることも可能である。
【００６１】
また、主表示ユニット８７の主表示部Ｄには上記両表示部以外に、スルーゲート８４への入賞に基づいた抽選結果を表示するスルーゲート用表示部が併設されている。スルーゲート用表示部では、スルーゲート８４への入賞をトリガとして絵柄の変動表示が行われ、その変動表示の停止結果として、スルーゲート８４への入賞に基づいて行われた内部抽選の結果が明示される。スルーゲート８４への入賞に基づく内部抽選の結果が電役開放状態への移行に対応した当選結果であった場合には、スルーゲート用表示部にて所定の停止結果が表示されて変動表示が停止された後に、電役開放状態へ移行する。電役開放状態では、下作動口８３ｂに設けられた上記電動役物９１が所定の態様で開放される。
【００６２】
更に、本実施の形態においては遊技球がスルーゲート８４を通過した回数は最大４回まで保留される構成が採用されているが、主表示ユニット８７の主表示部Ｄにはその保留個数を表示する保留数用表示部が設けられている。
【００６３】
以上詳述した主表示部Ｄについては、前扉枠１４のガラスユニット２２を通じてパチンコ機１０前方から視認可能となっているとともに、これら各種表示部の前方を遊技球が移動することが回避されているため、その視認性が担保されている。
【００６４】
再び図５を用いて内枠１３の構成について説明する。樹脂ベース５０における遊技盤ユニット８０の下方には、上記遊技球発射ハンドル４１の操作に基づいて遊技領域ＰＥへ遊技球を発射する遊技球発射機構１１０が設けられている。遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が樹脂ベース５０に固定されることで、同樹脂ベース５０に対して一体化されている。
【００６５】
発射レール１１２は、遊技盤８０ａ側に向けて上り傾斜となるように、斜めに傾いた状態でベースプレート１１４に固定されている。発射レール１１２の下流側の端部（すなわち下端部）寄りとなる位置には、球送装置１１３から供給された遊技球を上述した発射待機位置に留める球ストッパが配されている。球ストッパよりも更に下流側となる位置に、上記ソレノイド１１１が配置されている。
【００６６】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技盤８０ａ側、詳しくは遊技盤８０ａに装着された誘導レール部１００に向けて打ち出される。
【００６７】
誘導レール部１００は、遊技盤８０ａに設けられた遊技領域区画部９９とともに遊技領域ＰＥを同遊技領域ＰＥの外形が略円形状となるように区画形成している。また、誘導レール部１００は、遊技球の直径よりも若干大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分と、遊技領域ＰＥの上部に位置する出口部分とを有している。ソレノイド１１１の動作に基づいて発射された遊技球は、発射レール１１２→誘導レール部１００（入口部分→出口部分）の順に移動することにより遊技領域ＰＥに導かれる。なお、遊技盤８０ａにおいて上記出口部分付近、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００６８】
誘導レール部１００を構成している各レール１０１，１０２は、遊技領域ＰＥの略中央部分を中心とする円弧状をなしている。このため、誘導通路１０３を通過する遊技球は、自身に発生する遠心力により外レール１０２に沿って、すなわち外レール１０２に接触したまま移動（摺動又は転動）しやすくなっている。
【００６９】
図６に示すように、誘導レール部１００は、遊技球発射ハンドル４１が遊技球を遊技領域ＰＥに到達させることができる程度に操作された場合に、すなわち遊技球発射ハンドル４１の操作量が第１の規定量を超えた場合に、発射レール１１２から打ち出された遊技球が当該誘導レール部１００の入口部分１０４、詳しくは外レール１０２において発射レール１１２の延長上に位置する特定部位ＳＰに着地するように形成されている。
【００７０】
外レール１０２は、その特定部位ＳＰにおける接線ＴＬの向きが発射レール１１２のレール方向と略同一となるように形成されている。発射された遊技球の移動方向と、特定部位ＳＰにおける接線ＴＬの方向とを揃えることにより、遊技球の着地によって生じる衝撃を低減するとともに同遊技球の跳ね返りを抑え、誘導レール部１００によるそれら遊技球の円滑な誘導を可能としている。
【００７１】
誘導レール部１００及び発射レール１１２は、同誘導レール部１００の入口部分と発射レール１１２の先端部分とが遊技盤８０ａの下端縁を挟んで斜めに対峙するように配置されている。つまり、それら両レール１００，１１２は、同誘導レール部１００の入口部分と発射レール１１２の先端部分とが遊技盤８０ａの下端縁近傍にて左右にずれるようにして配置されている。これにより両レール１００，１１２を遊技盤８０ａの下端縁に近づけつつ、誘導レール部１００の入口部分と発射レール１１２との間には所定間隔の隙間を形成している。
【００７２】
このようにして形成された隙間よりも下側にはファール球通路が配設されている。ファール球通路は前扉枠１４の通路形成ユニット４５（図３参照）に一体成形されている。仮に遊技球発射機構１１０から発射された遊技球が遊技領域ＰＥまで至らずファール球として誘導通路１０３内を逆戻りする場合には、それらファール球が上記隙間を介してファール球通路内に入ることとなる。ファール球通路は前扉側下皿通路に通じており、ファール球通路に入った遊技球は図１に示した下皿３４に排出される。これにより、ファール球と次に発射される遊技球との干渉が抑制される。
【００７３】
樹脂ベース５０において発射レール１１２の左方（詳しくは前扉枠１４を支持している側）には樹脂ベース５０を前後方向に貫通する貫通孔が形成されており、この貫通孔に通路形成部材１２１が配設されている。通路形成部材１２１は、樹脂ベース５０に対してネジ止めされており、本体側上皿通路１２２と本体側下皿通路１２３とを有している。それら本体側上皿通路１２２及び本体側下皿通路１２３の上流側は、後述する遊技球分配部に通じている。また、通路形成部材１２１の下方には前扉枠１４に取り付けられた通路形成ユニットの受口部が入り込んでおり、本体側上皿通路１２２の下方には前扉側上皿通路が配置され、本体側下皿通路１２３の下方には前扉側上皿通路が配置されている。
【００７４】
樹脂ベース５０において通路形成部材１２１の下方には、本体側上皿通路１２２及び本体側下皿通路１２３を開閉する開閉部材１２４が取り付けられている。開閉部材１２４は本体側上皿通路１２２及び本体側下皿通路１２３を閉鎖する前方位置に付勢されており、前扉枠１４が開放された場合には、この付勢力によって各開閉部材１２４が閉状態となることで、各通路１２２，１２３からの遊技球の脱落が回避されることとなる。これに対し、前扉枠１４を閉じた状態では、前扉枠１４の通路形成ユニット４５に設けられた受口部により付勢力に抗して開閉部材１２４が押し開けられる。この状態では、本体側上皿通路１２２と前扉側上皿通路とが連通し、さらに本体側下皿通路１２３と前扉側下皿通路とが連通する。
【００７５】
次に、図７に基づき内枠１３（樹脂ベース５０及び遊技盤ユニット８０）の背面構成について説明する。図７は内枠１３の背面図である。
【００７６】
樹脂ベース５０の背面における回動基端側（図７の右側）には、軸受け金具１３２が取り付けられている。軸受け金具１３２には、上下に離間させて軸受け部１３３が形成されており、これら軸受け部１３３により内枠１３に対して裏パックユニット１５が回動可能に取り付けられている。また、樹脂ベース５０の背面には、裏パックユニット１５を閉じた状態で同樹脂ベース５０に固定するための固定レバー１３４が複数設けられている。
【００７７】
既に説明したように樹脂ベース５０における収容凹部（遊技盤収容部）５１の底部分には樹脂ベース５０の厚さ方向に貫通し同樹脂ベース５０の背面側に開放された中央開口５４が形成されており、その中央開口５４が収容凹部５１に収容された遊技盤ユニット８０によって内枠１３の正面側から覆われている。遊技盤８０ａの背面には上記装飾板８０ｂ、制御装置等の各種構成が搭載されており、それら各種構成のうち制御装置等の電子機器については中央開口５４を通じて内枠１３の背側に露出した状態となっている。ここで、遊技盤ユニット８０の背面の構成について説明する。
【００７８】
遊技盤ユニット８０の背面には、可変表示ユニット８５（図６参照）を遊技盤８０ａ及び装飾板８０ｂに対して搭載する合成樹脂製のベース体９７が固定されている。ベース体９７は、遊技機前方に開放された略箱状をなしており遊技盤８０ａ（装飾板８０ｂ）の背面のほぼ全域を覆っている。ベース体９７の一部は樹脂ベース５０の背面側に突出しており、その突出した部分に対して上述した図柄表示装置９４（図６参照）と、その図柄表示装置９４を駆動するための表示制御装置とが取り付けられている。これら図柄表示装置９４及び表示制御装置は前後方向（遊技盤ユニット８０の厚さ方向）に図柄表示装置９４が前側且つ表示制御装置が後側となるように重ねて配置されている。さらに、遊技盤ユニット８０は、表示制御装置の後方に配置された報知・演出制御装置１４０を有している。
【００７９】
報知・演出制御装置１４０は、後述する主制御装置からの指示に従い音声の出力やランプ表示、及び表示制御装置の制御を司る報知・演出制御基板を具備しており、報知・演出制御基板が透明樹脂材料等よりなる基板ボックス１４１に収容されて構成されている。
【００８０】
報知・演出制御装置１４０の下方には、ベース体９７を後方から覆うようにして主制御装置ユニット１６０が設けられている。主制御装置ユニット１６０は、遊技盤ユニット８０（詳しくは装飾板８０ｂ）の背面に固定された合成樹脂製の取付台１６１と、その取付台１６１に搭載された主制御装置１６２とを有している。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００８１】
基板ボックス１６３は、略直方体形状のボックスベース（表ケース体）とこのボックスベースの開口部を覆うボックスカバー（裏ケース体）とを備えている。これらボックスベースとボックスカバーとは封印手段としてのボックス封印部１６４によって開封不能に連結され、これにより基板ボックス１６３が封印されている。ボックス封印部１６４は、基板ボックス１６３の短辺部に複数設けられ、そのうち少なくとも１つが用いられて封印処理が行われる。
【００８２】
ボックス封印部１６４はボックスベースとボックスカバーとを開封不能に結合する構成であれば任意の構成が適用できるが、ボックス封印部１６４を構成する係止孔部に係止ピンを挿入することでボックスベースとボックスカバーとが開封不能に結合されるようになっている。ボックス封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、複数のボックス封印部１６４のうち、少なくとも１つの係止孔部に係止ピンを挿入することにより封印処理が行われる。そして、収容した主制御基板の不具合発生の際や主制御基板の検査の際など基板ボックス１６３を開封する場合には、係止ピンが挿入されたボックス封印部と基板ボックス１６３本体との連結部分を切断する。これにより、基板ボックス１６３のボックスベースとボックスカバーとが分離され、内部の主制御基板を取り出すことができる。その後、再度封印処理する場合は他の係止孔部に係止ピンを挿入する。基板ボックス１６３の開封を行った旨の履歴を当該基板ボックス１６３に残しておけば、基板ボックス１６３を見ることで不正な開封が行われた旨が容易に発見できる。
【００８３】
基板ボックス１６３と取付台１６１とは台座封印部１６５によって開封不能に連結されている。詳しくは、台座封印部１６５は、ボックス封印部１６４と同様に係止孔部及び係止ピンを有しており、係止孔部に対して係止ピンが挿入されることで基板ボックス１６３と取付台１６１とが分離不能に結合されるようになっている。これにより、基板ボックス１６３の不正な取り外しが行われた場合に、その事実を把握しやすくなっている。
【００８４】
装飾板８０ｂにおいて遊技盤８０ａの背面下部と対向している部分には、前記一般入賞口８１，可変入賞装置８２、作動口８３ａ，８３ｂの遊技盤開口部に対応し且つ下流側で１カ所に集合する回収通路（図示略）が形成されている。これにより、一般入賞口８１等に入賞した遊技球は何れも回収通路を介して遊技盤８０ａの下方に集合する構成となっている。つまり、装飾板８０ｂには各種入賞口に入賞した遊技球を回収する機能が付与されている。
【００８５】
遊技盤８０ａの下方には後述する排出通路が配されており、回収通路によって遊技盤８０ａの下方に集合した遊技球は排出通路内に導出される。なお、アウト口８９についても同様に排出通路に通じており、何れの入賞口にも入賞しなかった遊技球はアウト口８９を介して排出通路内に導出される。
【００８６】
また、装飾板８０ｂには、一般入賞口８１に入賞した遊技球を検知する入賞口スイッチと、可変入賞装置８２に入賞した遊技球を検知する入賞検知スイッチと、作動口８３ａ，８３ｂに入った遊技球を検知する作動口スイッチとが装着されており、それら各種スイッチによって入賞検知機構が構成されている。これら各種スイッチは主制御装置１６２に対して電気的に接続されており、各スイッチによる検知情報が同主制御装置１６２に出力される構成となっている。
【００８７】
なお、装飾板８０ｂに付与された遊技球の回収機能をベース体９７に付与することも可能である。つまり、装飾板８０ｂにベース体９７側へと通じる球通路を形成し、各入球部へ流入した遊技球をこれら球通路を通じてベース体９７側へ（つまり、遊技者の目の届かない位置へ）と案内した後に回収する構成とすることも可能である。
【００８８】
次に、図８及び図９に基づき裏パックユニット１５について説明する。図８はパチンコ機１０の背面図、図９は裏パックユニット１５の正面図である。
【００８９】
図８に示すように、内枠１３は裏パックユニット１５によって後方から覆われている。裏パックユニット１５は、裏パックユニット１５の本体部としての裏パック２０１を備えており、当該裏パック２０１に対して、払出機構部２０２、排出通路盤及び制御装置集合ユニット２０４が取り付けられている。
【００９０】
裏パック２０１は透明性を有する合成樹脂により成形されており、図９に示すように払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８５を囲むのに十分な大きさを有する（図８参照）。
【００９１】
ベース部２１１には、外部端子板（図示略）が設けられている。外部端子板には各種の出力端子が設けられており、これらの出力端子を通じて遊技ホール側の管理制御装置（ホールコンピュータ）に対して各種信号が出力される。また、図９に示すように、ベース部２１１にはパチンコ機１０後方からみて右端部に上下一対の掛止ピン２１４が設けられており、掛止ピン２１４を内枠１３に設けられた前記軸受け部１３３に挿通させることで、裏パックユニット１５が内枠１３に対して回動可能に支持されている。ベース部２１１には、内枠１３に設けられた固定レバー１３４が挿通される複数の挿通部２１５が形成されており、固定レバー１３４が挿通部２１５に挿通された状態にてベース部２１１に後方から当接することにより内枠１３に対して裏パックユニット１５が固定されている。
【００９２】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の側方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【００９３】
遊技球分配部２２５は、払出装置２２４より払い出された遊技球を上皿３３、下皿３４又は後述する排出通路の何れかに振り分けるための機能を有し、内側の開口部が上述した本体側上皿通路１２２及び前扉側上皿通路を介して上皿３３に通じ、外側の開口部が本体側下皿通路１２３及び前扉側下皿通路を介して下皿３４に通じるように形成されている。
【００９４】
ベース部２１１の下端部には、当該下端部を前後に挟むようにして排出通路盤及び制御装置集合ユニット２０４が取り付けられている。排出通路盤には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００９５】
制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【００９６】
払出制御装置２４２においては基板ボックス２４４内に払出装置２２４を制御する払出制御基板が収容されており、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【００９７】
電源・発射制御装置２４３は、基板ボックス２４６内に電源・発射制御基板が収容されており、当該基板により、各種制御装置等で要する所定の電源が生成されて出力され、さらに遊技者による遊技球発射ハンドル４１の操作に伴う遊技球の打ち出しの制御が行われる。また、電源・発射制御装置２４３には電源スイッチ２４７が設けられている。電源スイッチ２４７を操作することにより、パチンコ機１０の電源を投入状態（オン状態）又は遮断状態（オフ状態）に切り替え可能となっている。
【００９８】
ここで、本パチンコ機１０は各種データの記憶保持機能を有しており、万一停電が発生した際でも停電時の状態を保持し、停電からの復帰の際には停電時の状態に復帰できるようになっている。例えば遊技ホールの営業終了の場合のように通常手順で電源を遮断すると遮断前の状態が記憶保持される。一方、上記ＲＡＭ消去スイッチ１６６を押しながら電源を投入すると、ＲＡＭデータが初期化されるようになっている。
【００９９】
これら各種スイッチについては、遊技機主部１２（内枠１３）を開放して内枠１３の背面部を露出させることで遊技機正面側から操作可能となる。一方で、上記施錠装置７５によって遊技機主部１２の開放が規制されている状態では、遊技機正面側からそれら各種スイッチを操作することができない。つまり、上記各種スイッチについては遊技機主部１２を閉じた状態では操作されにくくなっており、施錠装置７５用のキーを所有していないもの（例えば不正行為者）による遊技機正面側からの操作を困難なものとしている。
【０１００】
以上詳述したようにパチンコ機１０は、大別して、内枠１３，前扉枠１４及び裏パックユニット１５からなる遊技機主部１２と、遊技機主部１２を回動可能に支持する外枠１１とによって構成されており、外枠１１が遊技ホールの島設備に設けられた取付部へ固定されることで、当該島設備と一体化されている。遊技機主部１２を外枠１１に対して閉じた状態では、外枠１１等によって遊技機主部１２の背面側（例えば主制御装置１６２等）へのアクセスが規制されることとなる。これにより、解錠用の鍵を所有するホール管理者やホール作業者以外のもの（例えば不正行為者）が遊技機主部１２の背面部に不正にアクセスすることが困難となっている。
【０１０１】
（遊技盤ユニット８０の取付構造）
本実施の形態においては、遊技盤ユニット８０の取付構造（具体的には同遊技盤ユニット８０の位置決め構造及び固定構造）に関して特徴的な構成を備えている。以下図１０の概略図を参照して、当該特徴的な構成について説明する。既に説明したように、遊技盤ユニット８０は、内枠１３の収容凹部５１に対して同内枠１３の正面側から嵌まっている。収容凹部５１は、樹脂ベース５０に設けられ遊技盤ユニット８０の背面に対向する平板状の対向板部５２と、遊技盤８０ａの周縁に沿って延びる周壁部５３とによって構成されており、これら対向板部５２及び周壁部５３によって囲まれた領域が遊技盤ユニット８０（詳しくは遊技盤８０ａ）の収容領域となっている。
【０１０２】
対向板部５２において前扉枠１４の回動基端側となる部位には、遊技盤ユニット８０を対向板部５２から離れる側（内枠１３の正面側）に向けて付勢する付勢部材としての板バネ（図示略）が同遊技盤ユニット８０の左縁部に添って上下に並設されている。板バネは、遊技盤ユニット８０（詳しくは装飾板８０ｂ）の上端寄り及び下端寄りにそれぞれ配置されており、遊技盤ユニット８０に対する付勢力が同遊技盤ユニット８０の上端側及び下端側にて同等となるように設定されている。これにより、上記付勢力が遊技盤ユニット８０の上端及び下端のいずれか一方に偏よって作用し、遊技盤ユニット８０が傾きやすくなることを抑制している。
【０１０３】
樹脂ベース５０の左側壁部５７には、板バネによる付勢方向の先側から遊技盤８０ａの前面に対して当接することで同遊技盤ユニット８０の同付勢方向への変位を抑えるストッパ部６５が設けられている。ストッパ部６５は、周壁部５３の左側壁部５７に固定されており、同左側壁部５７の内壁面から収容凹部５１内に張り出している。
【０１０４】
ストッパ部６５と対向板部５２との間隔寸法は、遊技盤８０ａの厚さ寸法と装飾板８０ｂの厚さ寸法の和よりも若干大きく設定されている。このため、板バネに押されストッパ部６５によって前後位置が規定された遊技盤ユニット８０（詳しくは装飾板８０ｂ）は、対向板部５２に対して僅かに浮いた状態となる。すなわち、遊技盤ユニット８０と対向板部５２との間に隙間が形成される。これは、許容できる遊技盤ユニット８０の厚さ寸法を大きくするための工夫である。
【０１０５】
なお、ストッパ部６５の配置に関して補足すれば、これらストッパ部６５は上記誘導レール部１００において遊技盤ユニット８０の回動基端側に凸となっている部分の上方及び下方に配置されている。これにより、遊技盤８０ａの前面に対して当接するストッパ部６５と、遊技盤８０ａの前面にて遊技領域ＰＥを区画する誘導レール部１００とを遊技盤８０ａの前面側となる領域にて好適に共存させることが可能となっている。
【０１０６】
以上詳述した板バネ（又は対向板部５２）と上下に配された一対のストッパ部６５とによって、遊技盤ユニット８０の一側部を挿入可能な挿入部６６が構築されている。挿入部６６は、前扉枠１４の回動基端側に配されているとともに、内枠１３の回動先端側からの遊技盤ユニット８０の挿入を許容すべく同内枠１３の回動先端側に開放されている。
【０１０７】
特に、板バネは遊技盤ユニット８０（詳しくは装飾板８０ｂ）に対して当接する部位がストッパ部６５よりも前扉枠１４が支持されている側から離れるように配されている。つまり、押圧部の頂部とストッパ部６５との距離寸法は、押圧部の頂部とストッパ部６５との前後方向での間隔寸法よりも大きく設定されている。これにより、遊技盤ユニット８０を挿入部６６に対して内枠１３の斜め前方から挿入可能としている。また、既に説明したように、ストッパ部６５と対向板部５２との隙間寸法は、遊技盤ユニット８０の厚さ寸法（詳しくは遊技盤８０ａの前面から装飾板８０ｂの背面までの距離寸法）よりも大きく設定されている。これにより、上述の如く斜め前方から挿入された遊技盤ユニット８０を、同挿入部６６を基端として回動可能としている。なお、ストッパ部６５の先端部において遊技盤８０ａと対向している部位には面取りが施されており、挿入部６６の入口部分が拡張されている。これにより、押圧部の頂部とストッパ部６５との距離寸法を大きくし、遊技盤挿入時のストッパ部６５と遊技盤ユニット８０とのつかえが抑制されている。
【０１０８】
挿入部６６の下方、詳しくは内枠１３において左側壁部５７と下側壁部５６とが交わる位置には、挿入部６６に挿入された遊技盤ユニット８０を仮置き可能な仮置き部６９が設けられている。仮置き部６９は、樹脂ベース５０において上記下側壁部５６を構成している部分の一部が上方に凸となるように形成されている。
【０１０９】
仮置き部６９の上端面は、下側壁部５６における他の部位よりも上側に位置しているとともに、遊技盤ユニット８０の下端部に対して対向する平面状をなしている。一方、遊技盤ユニット８０（詳しくは遊技盤８０ａ及び装飾板８０ｂ）における回動基端側の下隅部にはこの仮置き部６９に対応した下側切欠き部９０が形成されている（図６参照）。遊技盤ユニット８０を挿入部６６に挿入し回動開始する初期段階では、この仮置き部６９に対して遊技盤ユニット８０の下側切欠き部９０が仮置き（一時的に載置）されることで同遊技盤ユニット８０の重量の少なくとも一部が樹脂ベース５０によって支えられることとなる。これにより、作業負担を減らし、遊技盤ユニット８０の回動操作の容易化を図っている。
【０１１０】
図５に示したように遊技盤ユニット８０が装着完了位置に配置されている状態では、遊技盤ユニット８０の下端部が下側壁部５６の上端面に載り、上述した仮置き部６９と下側切欠き部９０との間には僅かな隙間が生じる。遊技盤ユニット８０は、下側壁部５６上に載ることとで、同下側壁部５６によって支えられ、その上下位置が規定されることとなる。このように、載置された遊技盤ユニット８０を下側から支える点に着目すれば、下側壁部５６を「載置部５６」又は「支持部５６」と称することも可能である。
【０１１１】
下側壁部５６の前端部分には、遊技盤ユニット装着時に同遊技盤ユニット８０を下側壁部５６の上面に案内する案内部が形成されている（図５参照）。案内部は、遊技盤ユニット回動時に当該遊技盤ユニット８０の下端縁が当接し得る位置に配され、内枠１３の正面側に向けて下り傾斜している。遊技盤ユニット８０を仮置き部６９に載せた状態から装着完了位置に向けて回動させると、その途中段階にて遊技盤ユニット８０の下端部が案内部に当たり、同遊技盤ユニット８０が案内部の傾斜に沿って押し上げられる。これにより下側切欠き部９０が仮置き部６９から離間するとともに遊技盤ユニット８０の下端部が下側壁部５６上に載った状態となり、遊技盤ユニット８０の重量負荷が仮置き部６９から下側壁部５６に移ることとなる。
【０１１２】
下側壁部５６は、遊技球発射機構１１０と遊技盤ユニット８０との間に位置しており、遊技球発射機構１１０に近い位置にて遊技盤ユニット８０の上下位置が規定される。既に説明したように、誘導レール部１００の入口部分１０４と遊技球発射機構１１０との両者は下側壁部５６に添って配されている。これにより、遊技球発射機構１１０から発射された遊技球の誘導レール部１００における着地位置のばらつきを抑えやすくなっている。
【０１１３】
遊技盤ユニット８０を着脱する際には、内枠１３の正面側から作業が行われる。この際、言うまでも無く前扉枠１４が開放された状態で作業が行われる。ここで、図１０を参照し、開放された前扉枠１４と遊技盤ユニット８０及び挿入部６６との位置関係について説明を補足する。図１０は開放された前扉枠１４と遊技盤ユニット８０及び挿入部６６との位置関係を示す概略図である。
【０１１４】
既に説明したように前扉枠１４は内枠１３に設けられた上記支持金具７１，７２によって回動可能に軸支されており、この軸支された部分（回動中心軸線ＣＬ）を中心として開閉される構成となっている。図１０に示すように、下側の支持金具７２には前扉枠１４の最大開放位置を規定する規定部７２ａが形成されている。前扉枠１４が開放され、規定部７２ａに対して当たった場合には、それ以上の開放が不可となる。本実施の形態においては、前扉枠１４の最大開放量が凡そ１００°に設定されている。これは、パチンコ機１０がホール等の島設備に設置された状態にて前扉枠１４が開放された場合に、隣接して設けられた他の遊技機等に対して同前扉枠１４が干渉しないように、また隣接する遊技機での遊技を妨げないようにするための工夫である。なお、前扉枠１４の最大開放量は１００°に限定されるものではない。少なくとも遊技盤ユニット８０の着脱が許容される範囲であれば任意に設定してよい。
【０１１５】
前扉枠１４の回動中心軸線ＣＬは同前扉枠１４の前面寄りに位置しており、前扉枠１４を閉じた状態にて内枠１３の内側に当該前扉枠１４の回動基端部分が嵌まり込む構成となっている。これにより、前扉枠１４と内枠１３との境界部位（特に前扉枠１４の回動基端側の境界部位）を介して不正具が挿入されるといった不都合を生じにくくし、防犯機能の強化を図っている。
【０１１６】
この回動中心軸線ＣＬの後方に上記挿入部６６が配置されている。前扉枠１４は所定の厚さを有しているため、上述の如く最大開放位置まで開放された場合であってもその背面の一部が挿入部６６よりも右側（前扉枠１４を支持している側とは反対側）に張り出した状態となる。挿入部６６は、その張出部分よりも奥まった位置に存在しているものの、遊技盤ユニット８０を出し入れする際に当該遊技盤ユニット８０の通過する軌道ＰＬと前扉枠１４との干渉が回避されるようにしてその挿入口の向きが定められている。これにより、遊技盤ユニット８０を装着する際の前扉枠１４の張り出し部分と遊技盤ユニット８０との干渉が抑えられている。
【０１１７】
（遊技盤８０aの構造）
本実施の形態においては、遊技盤８０ａを合成樹脂性とすることにより、従来は遊技盤８０ａに別体で取り付けていた各種遊技部品を遊技盤８０ａの本体部分（板状部分）に一体成形することで、遊技機の製造コストの低減や製造工程の簡略化等に寄与している。具体的に、既に説明した誘導レール部１００，遊技領域区画部９９，囲み部９５，ステージ部９６，上作動口８３ａ，スルーゲート８４が本体部分に一体成形されることでそれら各種構成の取付作業を不要とし、製造工程の簡略化を図っている。
【０１１８】
以下の説明では、先ず図６及び図１１を参照して誘導レール部１００の一体成形に関連する構成について説明し、その後一体成形の対象となった他の遊技盤構成部（例えば囲み部９５等）について説明する。図１１（ａ）は上記特定部位ＳＰにおける水平断面図（図５のＡ−Ａ線部分断面図）、図１１の（ｂ）は従来の遊技機における誘導レールの取り付け構造を示す概略図、図１１の（ｃ）は本実施の形態における誘導レールの構造を示す概略図である。
【０１１９】
図１１に示すように、誘導レール部１００は遊技盤８０ａの前面から起立するようにして同遊技盤８０ａの本体部分に一体成形されている。従来の遊技機においては誘導レール部１００に相当する構成は金属製のレール部材（遊技球と同等又はそれよりも高強度の金属製材料）を湾曲させて形成されており遊技球が繰り返し衝突することに起因したレール部材の塑性変形や破損等の不具合が生じにくくなっていた。つまり、単純に誘導レール部１００単体での強度を比較した場合には、合成樹脂製とすることが強度面での性能低下を招く要因となり得る。
【０１２０】
そこで、本実施の形態においては、それらの不都合の発生を抑えるべく各種対策が講じられている。図１１（ａ）においては、特定部位ＳＰ（図６参照）における誘導レール部１００の断面のみを表示しているが、誘導レール部１００の基端部（根元部分）と遊技盤８０ａの本体部分とは誘導レール部１００の配設範囲の全域で繋がっている。これにより、別体で誘導レールを固定する場合と比較して遊技盤８０ａの本体部分と繋がっている範囲が拡がっており、遊技球から受ける衝撃や荷重を遊技盤８０ａ側に分散させて伝播させやすくなっている。これにより、誘導レール部１００の保護が図られている。
【０１２１】
また、誘導レール部１００は弾性変形可能な合成樹脂材料によって形成されており、遊技球からの荷重や遊技球衝突時の衝撃を受けた場合には、遊技盤８０ａと繋がっている部分（以下、基端部又は根元部分という）を基端とする撓み変形が生じることとなる。このように、誘導レール部１００自身が変形することで、荷重が局所に集中することを抑制して衝撃を弱めることができ、それら荷重や衝撃による破損等の不具合を生じにくくしている。
【０１２２】
更に、誘導レール部１００を合成樹脂により遊技盤８０ａと一体成形することにより、以下の効果が期待できる。上述したように別体式の金属製レール部材を遊技盤に固定しようとした場合には、図１１（ｂ）の概略図に示すように、固定箇所を遊技盤８０ａＺの側部からある程度離して（内側に寄せて）設定する必要がある。つまり、外レール１０２Ｚを配置するにあたり固定用のスペースＳ１を考慮する必要がある。これにより、内レール１０１Ｚの位置も遊技盤８０ａの中央側へずれ込みやすくなり、結果として遊技領域ＰＥの拡張が妨げられることとなる。このような不都合は固定箇所をできるだけ多くして、金属製レール部材の取付強度の向上を図ろうとした場合に問題となりやすい。
【０１２３】
一方、本実施の形態においては外レール１０２を固定するためのスペースを遊技盤８０ａに別途確保する必要が無い。このため、外レール１０２をできる限り遊技盤８０ａの外縁寄りに配置しようとすること（図１１（ｃ）参照）に阻害事由が生じない。外レール１０２を遊技盤８０ａの外縁に近づけて配置することが可能となることで、内レール１０１についても遊技盤８０ａの中央からのできるだけ離して配置することができ、図５に示すように遊技領域ＰＥの拡張に貢献することが可能となっている。
【０１２４】
既に説明したように、遊技盤８０ａは合成樹脂による射出成形によって形成されている。ここで、射出成形用の成形型の合わせ方向について補足説明する。成形型については、遊技盤８０ａの前面にバリや段差が生じないように、また型抜きを行った際の反り等を抑制するように、その合わせ方向が遊技盤８０ａの厚さ方向と同じ方向となるように設定されている。かかる構成においては、量産の容易化、歩留まりの悪化回避等を考慮し、成形型にある程度の抜き勾配を加味する必要がある。このような抜き勾配の付与対象は、遊技盤８０ａの本体部分のみならず、当該遊技盤８０ａの本体分から突出して設けられた各種遊技盤構成部にも及ぶ。このような理由から、図１１に示すように誘導レール部１００の形状は遊技盤８０ａの前面から遠ざかるに従ってその厚さが徐々に薄くなるよう（先細り状となるよう）に形成されている。
【０１２５】
確かに強度強化に鑑みれば、誘導レール部１００の厚みを大きくすることで当該課題を解決することも可能である。しかしながら、このような対応では誘導レール部１００の占有領域が大きくなり、上記遊技領域拡張効果が上手く発揮できなくなる。また、合成樹脂製である以上、衝撃を完全に受け止めようとすれば特に衝撃が加わりやすい部分（特定部位ＳＰ等）でのひび割れ等の発生を誘発しやすくなると想定される。
【０１２６】
そこで、本実施の形態においては、敢えて誘導レール部１００の厚みを大きくする対策を採ることなく、上述したように遊技球に押された場合に（着弾時に）誘導レール部１００の撓みを許容して衝撃等を上手く緩和させることで、耐久性の担保を図っている。
【０１２７】
また、特定部位ＳＰでは遊技球が当たることで外レール１０２が撓み変形し、その後に元の状態に復帰することで外レール１０２が振動し得る。但し、本実施の形態に示す遊技機では、特定部位ＳＰにおいて遊技球が比較的厚みの大きい基端部寄りとなる位置に当たるように設定されており、上記変形／復帰時のその振幅はそれほど大きくならない。これにより、遊技球が外レール１０２に弾かれる等して誘導通路内での遊技球の移動経路がばらつくことが好適に抑制されている。
【０１２８】
但し、上述の如く誘導レール部１００の撓み変形を許容する構成とした場合には、衝撃の緩和機能を発揮できる反面、繰り返しの撓み変形によって誘導レール部１００が劣化しその強度が低下し得る。これは塑性変形が生じやすくなる要因となるため好ましくない。このような不具合が生じる可能性は、弾性域での撓み変形の振れ幅に比例して大きくなる。
【０１２９】
そこで、本実施の形態においては、そのような塑性変形を阻止するための構成、すなわち誘導レール部１００をサポートするサポート機構が採用されている。
【０１３０】
図１１に示すように、前扉枠１４（詳しくはガラスユニット２２のガラスホルダ２４）には外レール１０２に対して遊技領域ＰＥとは反対側から対向するようにしてストッパ部２４ｂが設けられている。ストッパ部２４ｂは、ガラスホルダ２４の枠部２４ａから後方に突出しており、前扉枠１４を閉じた状態にて遊技盤８０ａの板面に沿う方向にて外レール１０２と対向し、同外レール１０２との間に所定の隙間が形成されるように配設されている。
【０１３１】
ここで、図１２を参照して、外レール１０２とストッパ部２４ｂとの関係について補足説明する。図１２（ａ）は外レール１０２とストッパ部２４ｂとの関係を示す概略図、図１２（ｂ）は前扉枠１４を開閉する際の外レール１０２とストッパ部２４ｂとの位置関係の変化を示す概略図である。
【０１３２】
既に説明したように誘導レール部１００は遊技盤８０ａとの繋がり部分（基端部）を基端として撓み変形可能となっており、この撓み変形によって遊技球からの荷重や衝撃を緩和することが可能となっている。ここで、誘導レール部１００（詳しくは外レール１０２）が弾性域内である程度撓み変形すると、外レール１０２の先端部分がストッパ部２４ｂに当たる。これにより、外レール１０２の弾性域を超えた撓み変形（塑性変形）が回避されることとなる。つまり、緩衝機能による衝撃緩和の副作用に起因した外レール１０２の緩衝機能の低下が回避され、更には、上記荷重や衝撃の一部が前扉枠１４側へ伝播することで、外レール１０２に負荷が集中することを回避している。これにより、外レール１０２が保護されることとなる。
【０１３３】
ストッパ部２４ｂによって外レール１０２をサポートする構成においては、前扉枠１４が回動可能に設けられている点に留意する必要がある。本実施の形態においては、図１２（ｂ）に示すように、前扉枠１４が開閉される際に通過する軌跡（一点鎖線参照）と外レール１０２とが重ならないように、ストッパ部２４ｂの突出量と外レール１０２との隙間寸法とが設定されている。例えば、ストッパ部２４ｂを可動式とし、前扉枠１４が閉位置に配置されている場合にのみ上記対向位置へ待機させ、前扉枠１４を開放する際には外レール１０２との干渉を回避する退避位置へ移動させる構成とすることも可能であるが、これでは、構造が複雑化し、遊技機全体での製造の容易化を視野に入れると、遊技盤８０ａを合成樹脂製として各種遊技盤構成部を一体成形したことのメリットが薄れると想定される。
【０１３４】
この点、外レール１０２の撓み変形を許容すべく、ストッパ部２４ｂと外レール１０２との間に隙間を設定したことは、構造の複雑化を抑えつつサポート機能及び前扉枠１４の開閉機能を担保することと有機的に結合しており一体不可分の関係にあるといえる。
【０１３５】
次に、再び図６を参照して、外レール１０２のサポート構造について補足説明する。既に説明したように、前扉枠１４には特定部位ＳＰを含む所定の範囲にて外レール１０２のサポート機能が発揮されるようにしてストッパ部２４ｂが配置されている。本実施の形態における遊技盤ユニット８０については、内枠１３の樹脂ベース５０に対して遊技機前方から着脱する構成が採用されており、遊技盤８０ａの外縁よりも内側にオフセットした位置に存在する特定部位ＳＰをサポートするには、ストッパ部２４ｂを前扉枠１４側に設けることが合理的である。
【０１３６】
ここで、上述したように、外レール１０２については、左側に凸となるように湾曲しており、その最も外側となる部分は遊技盤８０ａの外縁に達している。この部分では、サポート機能が前扉枠１４側ではなく内枠１３の樹脂ベース５０側に付与されている。具体的には、遊技盤８０ａを樹脂ベース５０に搭載した状態では、樹脂ベース５０の左側壁部５７が外レール１０２に湾曲方向における外側から当接している。
【０１３７】
遊技球発射機構１１０から発射された遊技球は誘導レール部１００（外レール１０２）に到達した後は、遠心力によって誘導通路１０３内を外レール１０２に沿うように移動することとなる。このような構成においては、外レール１０２に加わる荷重等の負荷は遊技球が外レール１０２に当たった際に最も大きくなり、その後は徐々に弱くなる。
【０１３８】
このため、樹脂ベース５０の左側壁部５７を外レール１０２に当接させることで、撓み変形が制限されるものの、その荷重は左側壁部５７へと伝播するため、外レール１０２に塑性変形や破損等の不都合が生じることがない。このように、外レール１０２の部位毎に、内枠１３及び前扉枠１４によるサポート態様を変えることで、実用上好ましい構成が実現されている。
【０１３９】
また、上述した抜き角の設定により外レール１０２の内面が傾斜している構成においては、外レール１０２に沿って移動する遊技球は自身に作用する遠心力によって徐々にガラスユニット２２側へと移動することとなる。つまり、遊技盤８０ａの前面から浮き上がるようにして移動することとなる。これは、遊技球とガラスパネル２３とが衝突する要因となるため好ましくない。
【０１４０】
そこで、図１１に示すようにガラスユニット２２において遊技球の勢いが比較的大きい誘導通路１０３に対応する部分には、誘導通路１０３とガラスパネル２３との間に介在するようにして、カバー部２４ｃが設けられている。なお、図６においてはカバー部２４ｃが設けられている範囲をドットハッチングによって表示している。
【０１４１】
ここで、図１１及び図１３を参照してカバー部２４ｃについて説明する。図１３（ａ）は誘導通路１０３とカバー部２４ｃとの関係を示す水平断面図、図１３（ｂ）は誘導通路１０３の出口部分におけるカバー部２４ｃの構造を示す断面図である。なお、本実施の形態におけるガラスホルダ２４については透明な合成樹脂材料によって形成されており、カバー部２４ｃによって誘導通路１０３内を移動する遊技球の動きが見えなくなることはない。
【０１４２】
カバー部２４ｃは仕切り部と内側のガラスパネル２３を挟んで相対向するようにしてガラスホルダ２４の枠部２４ａから延出している（図１１参照）。カバー部２４ｃにおいて遊技盤８０ａを向いている部分については一部を除き略平面状をなしており、遊技球とガラスパネル２３との接触を妨げているだけでなく、当該カバー部２４ｃに遊技球が接触した際に遊技球の動きが乱れないように工夫されている。
【０１４３】
誘導通路１０３内を遊技球が移動している間は、当該遊技球は遠心力によってカバー部２４ｃに沿って移動することはあっても、ガラスパネル２３に直接当たることはない。しかしながら、図６に示すように遊技球が誘導通路１０３から飛び出した後も外レール１０２に沿って移動して遊技領域区画部９９（詳しくはストッパ）まで到達する場合には、カバー部２４ｃによる保護領域を外れることで、遊技球がガラスパネル２３に向けて移動する可能性が高まる。そこで、カバー部２４ｃについては図１３（ｂ）に示す傾斜を設け、遊技球を遊技盤の前面側（後方）へと押し戻すように工夫されている。
【０１４４】
具体的には、カバー部２４ｃの外面（前面）についてはガラスパネル２３と平行となるように形成されているが、カバー部２４ｃの内面（後面）については遊技盤８０ａの前面との距離が変化するように形成されている。すなわち、誘導通路１０３の途中位置から同誘導通路１０３の出口部分に向けて上記内面が遊技盤８０ａの前面に近づくように厚みが変更されている。より詳しくは、上記途中位置まではカバー部２４ｃの厚さ寸法Ｔ１が一定であるのに対して、誘導通路１０３の出口部分付近ではカバー部２４ｃの厚さ寸法Ｔ２が厚さ寸法Ｔ１よりも大きくなっており、全体的に、遊技盤８０ａの前面に近づくように傾斜している。
【０１４５】
このため、遊技球がカバー部２４ｃに沿って移動しながら誘導通路１０３の出口部分に到達した場合には、遊技球が遊技盤８０ａの前面側に押し戻されるように付勢される。カバー部２４ｃに形成された傾斜は、遊技球が外レール１０２の勾配に沿って遊技機前方へ移動しようとする力よりも上記付勢力のほうが僅かに大きくなるように設定されている。このため、出口部分から飛び出した遊技球が直接ガラスパネル２３に衝突したり、遊技盤８０ａの前面から跳ね返ってガラスパネル２３に衝突したりすることが抑制されている。
【０１４６】
このように、合成樹脂材料を用いて誘導レール部１００を遊技盤８０ａに一体成形したことによって生じ得る不都合を回避するための各種構成を併用することで、製造工程の簡略化等の各種効果を享受することが可能となっている。
【０１４７】
なお、上述したカバー部２４ｃによる遊技球の誘導機能は、必ずしもカバー部２４ｃの傾斜によって実現する必要はない。例えばカバー部２４ｃの内面を遊技盤８０ａの前面に近づくように湾曲させることで、同様の誘導機能を発揮させる構成とすることも可能である。
【０１４８】
（遊技盤８０ａに一体成形された他の構成）
次に図６及び図１４を参照して、遊技盤８０ａの本体部分に一体成形された他の遊技盤構成部について説明する。図１４は図６のＣ−Ｃ線部分断面図である。
【０１４９】
（遊技領域区画部９９）
図６に示すように遊技領域区画部９９についても誘導レール部１００と同様に遊技盤８０ａの本体部分と一体成形されている。遊技領域区画部９９の上部には外レール１０２に沿って移動した遊技球が衝突するストッパ部材８８が設けられている。ストッパ部材８８は、遊技領域区画部９９において斜め上方を向く面に貼り付けられた緩衝部材であるが、遊技球衝突時の衝撃はこのストッパ部材８８によって幾分緩和されるものの、一部の衝撃はストッパ部材８８を突き抜けて遊技領域区画部９９に伝播することとなる。
【０１５０】
ここで、遊技領域区画部９９については、樹脂ベース５０（詳しくは収容凹部５１）の右側壁部５８に当接しており、遊技領域区画部９９に伝播した衝撃は樹脂ベース５０へ伝わることとなる。このように遊技球の衝突による衝撃の一部を樹脂ベース５０側に逃がすことにより、遊技領域区画部９９の保護を図ることができる。
【０１５１】
また、図示は省略するが、遊技領域区画部９９の上部は、製造容易化及び遊技盤８０ａの軽量化を目的として中空（詳しくは遊技機後方に開放された筒状）となっており、遊技領域区画部９９自体の弾性変形を推進している。これにより、上記緩衝機能が一層好適に発揮されることとなる。なお、この中空部分については、上記主表示ユニット８７を収容する収容領域として活用され、主表示ユニット８７の設置領域の確保に起因した遊技領域ＰＥの圧迫を抑えている。
【０１５２】
遊技領域区画部９９の中間部については、上下に延びるレール状をなしており、この部分についても遊技球が左方から衝突する可能性がある。しかしながら、このレール状となっている部分についても樹脂ベース５０の右側壁部５８と当接しており、遊技球が衝突した際の衝撃を樹脂ベース５０側に分散させることが可能となっている。
【０１５３】
（スルーゲート８４）
同図６に示すように、可変表示ユニット８５の左右両側にはスルーゲート８４が形成されている。スルーゲート８４は他の入球部と違い、通過した遊技球を遊技領域外に排出する機能が付与されていない。
【０１５４】
遊技盤８０ａにおいてスルーゲート８４に対応する部分については、遊技盤８０ａの厚さ方向に貫通する貫通孔とその貫通孔の前方に遊技球が通過する球通路部とが遊技盤８０ａの本体部分に一体成形されてなり、スルーゲート８４はそれら貫通孔に球通路部を通過する遊技球を検知する検知センサが遊技機後方から挿し込まれることで構成されている。
【０１５５】
（囲み部９５）
次に、図１４を参照して囲み部９５について説明する。囲み部９５には既に説明した防護壁としての機能の他、発光による報知・演出機能や、ステージ部９６へ遊技球を誘導する誘導機能、更には中央開口周辺での強度低下を補完するサポート機能が付与されている。
【０１５６】
以下、先ず発光にかかる構成について説明する。囲み部９５は、遊技盤８０ａの中央開口に沿って形成されており、遊技盤８０ａの後方に開放された筒状となるように形成されている。その上部には、遊技機前方に凸となるように湾曲したレンズ部９５ｂが形成されている。装飾板８０ｂであってレンズ部９５ｂの後方に位置する部位には、前面に複数の発光体３０１が実装された発光基板３０２が配置されている。発光基板３０２は上記報知・演出制御装置１４０に接続されており、この報知・演出制御装置１４０からの信号に基づいて発光体３０１が発光／消灯する構成となっている。
【０１５７】
発光体３０１とレンズ部９５ｂとの間には、レンズ部９５ｂに対する光の入射を妨げるものが存在していない（より詳しくは光が通過するものも存在していない）。故に、発光体３０１からの光は、レンズ部９５ｂの内面及び外面にて一部後方へ反射するものの、その大部分はレンズ部９５ｂを通じて拡散された状態で遊技機正面側へと照射されることとなる。
【０１５８】
従来の遊技機においては、囲み部９５を発光させる場合には、囲み部９５内に発光基板３０２に相当する構成を内蔵する必要があり、囲み部９５の形状や大きさが発光基板の配置を考慮して制限されることがあった。この点、本実施の形態に示すように、発光基板３０２を囲み部９５外に配置することでこのような不都合を回避することが可能となる。
【０１５９】
また、囲み部９５に相当する構成を遊技盤８０ａとは別体で形成し、同構成を遊技盤８０ａの前面に後付けする構成を想定した場合、光が通過する面の数が増大することとなる。これにより、遊技盤８０ａの後方へと反射する光の量が増え、発光体３０１からの光を効率よく報知・演出に利用することが難しくなる。
【０１６０】
これらの事情に鑑みても、レンズ部９５ｂを遊技盤８０ａと一体成形することは発光機能を利用した報知・演出を行う上で有利な構成であると言える。
【０１６１】
囲み部９５を構成する側部には、既に説明したように、遊技球をステージ部９６へと誘導する誘導通路９５ｃの入口部分としての開口部９５ａが形成されている。開口部９５ａの後方には、囲み部９５の中空部分に形成されたリブによって上記誘導通路９５ｃが区画形成されている。
【０１６２】
リブについては、遊技盤８０ａの厚さ方向（型抜き方向）に延びており、その下面を構成している部分については、抜き勾配を利用して、遊技機後方に向けて下るように傾斜している。このため、開口部９５ａから誘導通路９５ｃに流入した遊技球は、この傾斜によって遊技機後方へと誘導される。
【０１６３】
ここで、囲み部９５は遊技機後方に開放されているため、誘導通路９５ｃに沿って移動した遊技球は、囲み部９５を通過することで下方へ落下するが、誘導通路９５ｃについては、上述した装飾板８０ｂによって後方から覆われており、遊技球が遊技盤ユニット８０から零れることが回避されている。つまり、誘導通路９５ｃについては、その一部が装飾板８０ｂによって構成されることで、上記誘導機能が担保されている。
【０１６４】
誘導通路９５ｃの出口部分９５ｄは、遊技盤８０ａの本体部分よりも後方に位置している。この出口部分９５ｄから流出した遊技球は、ステージ部９６に到達する。
【０１６５】
（ステージ部９６）
ステージ部９６は、上記出口部分に対応した奥側ステージ９６ａと、奥側ステージ９６ａの前方に位置し、同奥側ステージ９６ａよりも低位となるように形成された手前側ステージ９６ｂとによって段差状に形成されている。上記誘導通路９５ｃの出口部分９５ｄから流出した遊技球は、奥側ステージ９６ａ上を左右に揺動しながら奥側ステージ９６ａ→手前側ステージ９６ｂの順に移動する。このようなステージ９６ａ，９６ｂ間での遊技球の移動を可能にする構成を実現する際にも、上述した成形型の抜き勾配が利用されている。具体的には、ステージ部９６は、遊技盤８０ａの前面部分を形成する型によって形成されており、この型の抜き勾配によって遊技機前方へと傾斜している。
【０１６６】
手前側ステージ９６ｂには、遊技球を上作動口８３ａへ導く第１誘導溝部と、第１誘導溝部の左右両側に設けられ遊技球を上作動口８３ａ以外へと導く第２誘導溝部とが設けられているが、これら各溝部の底面についても上記抜き勾配を利用して遊技機前方へ傾斜角が付与されている。
【０１６７】
ここで、ステージ部９６へと誘導された遊技球の動きを簡単に説明すると、奥側ステージ９６ａに到達した遊技球は当該奥側ステージ９６ａを通じて、手前側ステージ９６ｂに到達する。ステージ部９６に到達した遊技球は何れのステージ９６ａ，９６ｂにおいても左右に揺動する。そして、揺動の結果、第１誘導溝に到達した遊技球は上作動口８３ａへ向けて落下し、一方第２誘導溝に到達した遊技球は上作動口８３ａ以外に向けて落下することとなる。
【０１６８】
（上作動口８３ａ）
上作動口８３ａは上方に開放された入口部分であり、遊技盤８０ａにはこの入口部分から流入した遊技球を遊技盤８０ａの背面側に誘導する誘導通路８６ａと誘導通路８６ａの出口部分に連なる回収通路８６ｂとが形成されている。
【０１６９】
誘導通路８６ａについては、遊技盤８０ａの背面部分を形成する成形型によって形成されており、その抜き勾配によって誘導通路８６ａの底面が遊技盤８０ａの後方へと下り傾斜している。また、同様の成形型によって遊技盤８０ａの本体部分の背面には上下に延びる左右一対のリブが形成されている。これらリブによって挟まれた区間が上記装飾板８０ｂによって後方から塞がれることで、回収通路８６ｂが構築されている。
【０１７０】
遊技盤８０ａを透明な樹脂材料によって形成し、その後方に装飾板８０ｂを配して遊技盤ユニット８０の見栄えの向上を図る構成においては、この装飾板８０ｂを用いて、球通路の後方開放部分を塞ぐ構成とすることにより、構成の複雑化を抑えつつ球通路からの遊技球の脱落を回避することができ、更には成形型の抜き勾配を利用して、遊技球の転がり方向を規定することにより、通路内で遊技球が滞留するといった不都合を好適に回避することができる。
【０１７１】
以上詳述した実施の形態によれば、遊技盤８０ａを合成樹脂製とし、遊技盤８０ａの本体部分に付随する各種遊技盤構成部（誘導レール部１００や囲み部９５等）を同本体部分と一体成形することで、遊技盤８０ａの製造の容易化に貢献することができる。
【０１７２】
なお、上述した実施の形態の記載内容に限定されず、例えば次のように実施してもよい。因みに、以下の別形態の構成を、上記実施の形態における構成に対して、個別に適用してもよく、相互に組み合わせて適用してもよい。
【０１７３】
（１）上記実施の形態では、遊技盤８０ａにおいて同遊技盤８０ａの前面から突出して設けられた誘導レール部１００等の各種構成を遊技盤８０ａの本体部分に一体成形したが、一体成形の対象物はこれらの構成に限定されるものではない。例えば図６に示すように遊技盤の下部に装飾機能が付与された張出部が取り付けられているような遊技盤においては、当該張出部に相当する構成を遊技盤の本体部分に一体成形することも可能である。
【０１７４】
また、一体成形の対象物は遊技盤８０ａの前面側に突出しているものに限定されるものではなく回収通路用８６ｂのリブに示すように後方へ突出する構成を一体成形することも可能である。例えば可変表示ユニット８５（詳しくは図柄表示装置９４）を搭載可能な台座部を遊技盤８０ａの背面から後方に突出するようにして形成することも可能である。
【０１７５】
（２）遊技盤８０ａの前面において釘等が散在する遊技球の流下領域の一部を隆起させたり凹ませたりすることで遊技球に前後方向の動きを与える構成とすることも可能である。つまり、遊技盤８０ａの前面について、上記実施の形態に示すように１の平面によって構成することに代えて、曲面状又は複数の平面を段差状に配列した構成とすることも可能である。
【０１７６】
（３）上記実施の形態では、遊技盤８０ａを透明な合成樹脂材料によって形成し、その背後に装飾板８０ｂを配置することで遊技盤ユニット８０の見栄えの向上を図ったが、このような見栄え向上にかかる構成については省略することも可能である。例えば、遊技盤８０ａを有色不透明な合成樹脂材料によって形成し、装飾板８０ｂに相当する構成を省略してもよい。この場合、遊技盤８０ａの前面にキャラクタ等の画像が付されたシート材等を貼り付けることで装飾機能の低下を抑えることも可能である。
【０１７７】
（４）上記実施の形態では、遊技盤８０ａを合成樹脂製とすることで遊技盤８０ａの本体部分に「遊技盤構成部」としての誘導レール部１００や囲み部９５等を一体成形可能としたが、これは、誘導レール部１００や囲み部９５等について追加工を否定するものではない。例えば囲み部９５の開口部９５ａや上作動口８３ａ等の入口部分を形成する場合には、型成形後の追加工（例えば研磨や切削といった追加工）によって同構成を完成させることも可能である。
【０１７８】
なお、遊技盤８０ａの材質は合成樹脂材料に限定されず、誘導レール部１００等の遊技盤構成部を一体成形可能であれば足り、例えばアルミニウム等の金属材料とすることも可能である。
【０１７９】
（５）上記実施の形態では、「支持枠」としての内枠１３の上側壁部５５に外レール１０２の頂部のサポート機能を付与しない構成としたが、外レール１０２が弾性域で撓み変形した場合に上側壁部５５に外レール１０２が当接する構成とし、同外レール１０２の過度の変形が上側壁部５５によって規制される構成とすることも可能である。
【０１８０】
（６）上記実施の形態では、遊技盤８０ａ（詳しくは本体部分）の前面からの起立量が大きいことを考慮して誘導レール部１００に抜き勾配を付与する構成としたが、起立量が小さい場合等の条件により、型抜きを行う際に誘導レール部１００が変形／破損しないのであれば、上記抜き勾配については省略することも可能である。但し、抜き勾配をなくした場合には、型抜き作業をより慎重に行う必要が生じ、製造効率が低下する可能性が高くなり得る。故に、抜き勾配を省略するのではなく、本実施の形態に示したようにこの抜き勾配を上手く利用したり、抜き勾配によるデメリットを遊技機全体で解消する工夫を施すことが好ましい。
【０１８１】
（７）上記実施の形態では、「区画壁部」としての誘導レール部１００のサポート機能を「扉体」としての前扉枠１４と「支持枠」としての内枠１３との両者に付与する構成としたが、これに限定されるものではなく、サポート機能を前扉枠１４及び内枠１３の何れか一方にのみ付与する構成とすることも可能である。但し、遊技盤ユニット８０を内枠１３に対して遊技機前方から取り付ける構成においては、サポートが必要になり得る部分が遊技盤８０ａの端部に位置するとは限らず（図６参照）、誘導レール部１００の保護を内枠１３のみで実現することは事実上困難である。また、一体成形による利点を活かして遊技領域の拡張を実現しようとした場合には、前扉枠１４のみで誘導レール部１００全体の保護を行うことが困難になる。故に、部位毎にサポート対象を内枠１３及び前扉枠１４で変更する構成とすることが好ましい。
【０１８２】
（８）上記実施の形態では、ステージ部９６を遊技盤８０ａの前面を形成する正面型によって形成するにあたり、型抜き用の勾配を利用して同ステージ部９６を遊技機前方に傾斜させる構成としたが、ステージ部９６を遊技盤８０ａの背面を形成する背面型によって形成する場合には、型抜き用の勾配を利用してステージ部９６を遊技機後方に傾斜させる構成とすることも可能である。この場合、ステージ部９６には後方へ移動した遊技球を遊技機前面側（例えば上作動口８３ａ）へと誘導するワープ通路等を設けることにより、ステージ本来の遊技球誘導機能を担保することができる。
【０１８３】
（９）遊技盤８０ａに一体成形された構成のうち発光演出にかかる部位（例えば囲み部９５）については、有色透明な合成樹脂材料を適用することも可能である。つまり、遊技盤８０ａの本体部分については無色透明な合成樹脂材料を用いて形成し、発光にかかる部位については有色透明な合成樹脂材料を用いて形成する、所謂２色成形を行うことも可能である。
【０１８４】
（１０）上記実施の形態では、「通路壁部」を構成する外レール１０２において遊技盤８０ａの左端部側に凸となっている部位に内枠１３（樹脂ベース５０）の右側壁部５８が当接することで当該左側壁部５７に外レール１０２の保護機能を付与したが、これに限定されるものではない。例えば、外レール１０２とストッパ部２４ｂとの関係と同様に、外レール１０２と左側壁部５７との間に所定の隙間を設け、外レール１０２が弾性変形した際には、同外レール１０２が塑性域に達する前に左側壁部５７と当接してそれ以上の変形が規制される構成とすることも可能である。
【０１８５】
（１１）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０１８６】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０１８７】
以下の特徴Ａ群は、「パチンコ機等の遊技機には、前面に遊技領域が形成された木製の遊技盤を枠体に搭載してなるものがある。遊技者の発射操作に基づいて発射された遊技球が遊技領域に設けられた入球部に入賞することにより、当否抽選や遊技球の払出し等の特典が遊技者に付与される（例えば特開２００３−１９０５１１号公報参照）。この種の遊技機には、入球部への入賞を契機として図柄の変動表示を行う図柄表示装置、図柄の変動表示に合わせて発光したり動作したりすることにより当否抽選結果の示唆等を行う遊技部品が遊技領域に配置されることにより遊技機への注目度の向上が図られているものがある。更に近年では、遊技盤を木材に代えて透明な合成樹脂材料等を用いて型形成（例えば射出成形）し、遊技盤の背後に発光部や装飾部等の遊技部品を設けることで、遊技盤の前面側にそれら各種部材を配置する場合と比較して遊技領域の圧迫を抑えつつ見栄え等の向上が図られている。しかしながら、合成樹脂製の遊技盤を有する遊技機においては、上記各種効果を享受し得る一方、その構造には未だ改善の余地がある。」という背景・課題等に鑑みてなされたものである。
【０１８８】
特徴１．前面に遊技領域（遊技領域ＰＥ）が形成された遊技盤（遊技盤８０ａ）を備え、
前記遊技盤には、当該遊技盤の前面側及び背面側の少なくとも何れかに突出するようにして遊技盤構成部（誘導レール部１００等）が設けられており、
前記遊技盤及び前記遊技盤構成部は合成樹脂材料を用いて一体成形されていることを特徴とする遊技機。
【０１８９】
特徴１に示すように遊技盤と遊技盤構成部とを合成樹脂材料を用いて一体成形することにより、遊技盤構成部を遊技盤に固定するための別途作業が不要となる。これにより、製造工程を簡略化することが可能となり、作業負荷の軽減及び工期短縮に貢献することができる。
【０１９０】
特徴２．前記遊技盤構成部は、前記遊技盤の前面側へ突出しており、遊技球が当たることで同遊技球の移動方向を変化させるものであることを特徴とする特徴１に記載の遊技機。
【０１９１】
遊技領域に存在する各種構成のうち遊技球が当たってその移動方向を変化させる部分については、位置精度をある程度担保しておく必要がある。ここで、従来の遊技機のように遊技盤構成部を後付けする場合には、製造時の作業ミス等に起因して位置精度が低下しないように各種工夫を施す必要がある。この点、特徴１に示したように遊技盤構成部を一体成形すれば、そのような工夫が不要となり位置精度担保のための構成を簡略化できる。
【０１９２】
特徴３．前記遊技盤構成部は、前記遊技盤の前面から前方へ起立しており、同遊技盤の前面において、遊技領域（遊技領域ＰＥ）及びその遊技領域へ遊技球を誘導する誘導部（誘導通路１０３）を区画形成する区画壁部（誘導レール部１００）であることを特徴とする特徴１又は特徴２に記載の遊技機。
【０１９３】
区画壁部については、遊技球が当たった際の負荷に耐え得るようにある程度の強度（特に取付強度）を担保する必要がある。そこで、例えば区画壁部に相当する構成を別体で設けるタイプの従来の遊技機においては、ピン等の固定具を用いて固定強度を担保することで上記負荷を遊技盤側に分散させて受け止める構造が採用されている。
【０１９４】
しかしながら、区画壁部に相当する構成を後付けする構造では、固定具を取り付けた際の遊技盤の割れ等を防ぐ必要があり、それら固定具の存在が区画壁部に相当する構成を遊技盤の外縁に近づけて配置する際の妨げとなっていた。このような不都合は、固定強度の向上に鑑みて固定箇所を多く設定しようとすればより顕著なものとなる。故に、このような固定構造が必須となることは、遊技領域の拡張を妨げる要因となり得るため好ましくない。また、区画壁部を後付けとする構成であっても例えば固定箇所を増やすことで固定強度を担保することは可能である。しかしながらこの場合、遊技盤の製造効率が低下するという課題も生じ得る。
【０１９５】
この点、区画壁部を遊技盤と一体成形するのであれば、上述したような固定用スペースの確保が不要となり遊技領域拡張の妨げとなることを抑制でき、更には固定箇所にかかる上記不都合の発生も回避することもできる。
【０１９６】
特徴４．前記遊技盤を支持する支持枠（樹脂ベース５０）と、
前記遊技盤を遊技機前方から覆う扉体（前扉枠１４）と
を備え、
前記支持枠及び前記扉体の少なくとも何れかには、前記区画壁部に前記誘導部とは反対側から対向する対向部（ストッパ部２４ｂや左側壁部５７等）が設けられており、
当該対向部は、前記区画壁部が当接することで同区画壁部の反誘導部側への変形を規制するように構成されていることを特徴とする特徴３に記載の遊技機。
【０１９７】
特徴３に示したように区画壁部を合成樹脂によって遊技盤に一体成形する構成においては製造効率の向上等の各種効果を享受できる反面、従来の金属製後付けタイプの区画壁部と比較して、区画壁部自体の強度が低くなることが懸念される。そこで、本特徴においては、支持枠及び扉体の少なくとも何れかに対向部を設け、区画壁部が対向部に当接することで区画壁部の変形が規制される構成とした。かかる構成によれば、区画壁部に遊技球から負荷が加わった場合に、その負荷を対向部を通じて支持枠や扉体に伝えることができ、区画壁部の過度の変形や破損等を抑制することができる。区画壁部による遊技球の誘導機能の担保に貢献することができる。
【０１９８】
特に、支持枠や扉体は遊技盤よりも大きく、区画壁部を外側（反誘導部側）から支持するに最適である。
【０１９９】
特徴５．前記区画壁部は、当該区画壁部の基端部を中心として撓み変形可能となるように構成されており、
前記対向部は、前記区画壁部に隙間を隔てて対向しており、前記区画壁部が反誘導部側に所定量以上に撓んだ場合に、同区画壁部のそれ以上の撓み変形を規制するように構成されていることを特徴とする特徴４に記載の遊技機。
【０２００】
区画壁部を合成樹脂製とした場合には、例えば壁の厚さを大きくすることにより強度向上を図ることができる。しかしながら、遊技球が衝突する部位については、繰り返しの衝撃が発生するため、例え上述したような強度向上を図ったとしても衝突部位及びその周辺にてひび割れや凹み等の劣化が生じることが懸念される。
【０２０１】
そこで、本特徴においては、区画壁部を自身の付け根を中心に撓み変形する構成とし、上記衝撃を緩和する構成を実現している。かかる構成においては、繰り返しの撓み変形によって区画壁部が塑性変形してしまう可能性が生じるが、対向部によって所定量以上（弾性域を超えた）変形を規制することにより、衝撃吸収機能を発揮させつつ、区画壁部の耐久力の低下を抑えることができる。
【０２０２】
特徴６．前記対向部は、前記扉体に設けられた扉体側対向部（ストッパ部２４ｂ）を有してなり、
前記扉体側対向部は、前記区画壁部が同区画壁部の基端部を中心として撓み変形した場合に、当該区画壁部の先端部に当接するように形成されていることを特徴とする特徴５に記載の遊技機。
【０２０３】
特徴６によれば、対向部が区画壁部の先端部に当接することで撓み変形を規制する構成とすることにより緩衝機能を好適に発揮させることができる。例えば、対向部に相当する構成を区画壁部と同様に遊技盤に一体成形することも可能である。しかしながら、このような構成においては区画壁部の先端部と当接するには対向部に相当する構成を無駄に大きくする必要があり、規制機能を上手く発揮させようとすれば同じ側に基端部を持つ構造上の特性から無駄に遊技領域が侵食されると懸念される。この点、本特徴に示すように、区画壁部の先端部に近い扉体に対向部を設けることにより、そのような不都合の発生を回避し、区画壁部の変形を上手く抑えることが可能となる。
【０２０４】
特徴７．前記遊技盤が前記支持枠に対して遊技機前方から着脱される構成となっており、
前記遊技盤は略矩形状をなしているとともに、前記遊技領域は略円形状をなしており、
前記区画壁部は、前記遊技盤の一辺側に凸となる円弧状をなしており、
前記対向部として、前記扉体に設けられた扉体側対向部（ストッパ部２４ｂ）と前記支持枠に設けられた支持枠側対向部（左側壁部５７）とを有してなり、
前記支持枠側対向部は、前記区画壁部において少なくとも前記一辺側に凸となっている部分に対向するようにして配設されており、
前記扉体側対向部は、前記区画壁部において前記凸となっている以外の部分に対向するようにして配設されていることを特徴とする特徴４乃至特徴６のいずれか１つに記載の遊技機。
【０２０５】
特徴７に示すように遊技盤が略矩形状、遊技領域（区画壁部）が略円形状をなしている場合には、遊技盤を遊技機前方から着脱するという点を考慮すると、区画壁部の全域を支持枠又は扉体の何れか一方でサポートすることは、遊技盤の着脱作業の妨げとなり得るため好ましくない。
【０２０６】
そこで、区画壁部において少なくとも前記一辺側に凸となっている部分については支持枠に設けられた支持枠側対向部によってサポートし、それ以外の部分については扉体に設けられた扉体側対向部によってサポートする構成とすれば、遊技盤の着脱機能を妨げることなく、上記各特徴による効果を享受することができる。
【０２０７】
特徴８．前記遊技盤は、当該遊技盤の厚さ方向に並設された固定型及び可動型を用いて射出成形されており、
前記可動型の移動方向は前記厚さ方向と同じ方向となるように設定されており、
前記遊技盤の前記区画壁部は、型抜き用の勾配により同区画壁部の基端部が先端部よりも厚くなるように形成されていることを特徴とする特徴４乃至特徴７のいずれか１つに記載の遊技機。
【０２０８】
区画壁部の撓み変形を許容することで、遊技球の衝突に起因した衝撃等を緩和させる構成とした場合、撓み変形によって発生する応力が区画壁部の基端部にて大きくなりやすい。この点、型抜き用の勾配を利用して同区画壁部の基端部が先端部よりも厚くなるように形成すれば、先端部と比較して基端部の強度を向上でき、区画壁部全体での撓み機能を担保しつつ、それに起因して基端部に亀裂等の不具合が生じることを抑制できる。
【０２０９】
なお、基端部と遊技盤前面との境界部位にＲをつけることで、成形の容易化だけでなく、撓み変形が発生した際に区画壁部の基端部に応力の集中を抑えることができるという効果が期待できる。
【０２１０】
特徴９．前記扉体には、前記遊技盤を遊技機前方から透視可能に形成された透明パネル（ガラスパネル２３）が設けられており、
前記透明パネルと前記遊技盤との間に設けられ、前記遊技盤の前面と対向する対向面を有し、前記誘導部を遊技機前方から覆うカバー部（カバー部２４ｃ）を備えていることを特徴とする特徴８に記載の遊技機。
【０２１１】
特徴８に示したように、区画壁部が先細り状となるように形成されている場合には、同区画壁部に沿って移動する遊技球は区画壁部の傾斜に沿って徐々に遊技機前方に移動し、透明パネルと衝突する可能性がある。そこで、誘導部に沿うようにしてカバー部を設けることで、仮に遊技球が遊技機前方に移動したとしても透明パネルと遊技盤との間に介在するカバー部によってそれ以上の移動が妨げられ、上記不都合の発生を抑えることが可能となる。
【０２１２】
特徴１０．発射された遊技球は前記誘導部の出口部分を通じて前記遊技領域に到る構成となっており、
前記カバー部において前記誘導部の出口部分を覆っている部分を含む特定範囲には、
遊技盤の前面との距離が小さくなるように傾斜する傾斜面が形成されていることを特徴とする特徴９に記載の遊技機。
【０２１３】
遊技球が誘導部から離れる際にカバー部に沿って移動している場合には、誘導部の出口部分から離れた遊技球は、遊技機前方へ向けて付勢されたままとなり、誘導部から離脱した後に透明パネルに当たる可能性が生じる。この点、本特徴に示すように、カバー部に形成された傾斜面によって遊技球に遊技盤側への付勢力を与える構成としておくことで、遊技球が透明パネルに当たるといった不都合を生じにくくすることができる。
【０２１４】
以下に、以上の各特徴を適用し得る遊技機の基本構成を示す。
【０２１５】
パチンコ遊技機：遊技者が操作する操作手段（遊技球発射ハンドル４１）と、その操作手段の操作に基づいて遊技球を発射する遊技球発射手段（遊技球発射機構１１０）と、その発射された遊技球を所定の遊技領域（遊技領域ＰＥ）に導く球通路（誘導通路１０３）と、遊技領域内に配置された各遊技部品（釘等）とを備え、それら各遊技部品のうち所定の通過部（一般入賞口８１等）を遊技球が通過した場合に遊技者に特典を付与する遊技機。
【符号の説明】
【０２１６】
１０…遊技機としてのパチンコ機、１１…外枠、１２…遊技機主部、１３…内枠、１４…扉体としての前扉枠、２２…ガラスユニット、２３…透明パネルとしてのガラスパネル、２４…ガラスホルダ、２４ｂ…扉体側対向部としてのストッパ部、２４ｃ…カバー部、５０…支持枠としての樹脂ベース、５１…収容凹部、５３…周壁部、５７…支持枠側対向部としての左側壁部、８０…遊技盤ユニット、８０ａ…遊技盤、１００…区画壁部としての誘導レール、１０１…内レール、１０２…外レール、１０３…誘導部としての誘導通路、ＰＥ…遊技領域。
【図１】
2014050496.tif 000003
【図２】
2014050496.tif 000004
【図３】
2014050496.tif 000005
【図４】
2014050496.tif 000006
【図５】
2014050496.tif 000007
【図６】
2014050496.tif 000008
【図７】
2014050496.tif 000009
【図８】
2014050496.tif 000010
【図９】
2014050496.tif 000011
【図１０】
2014050496.tif 000012
【図１１】
2014050496.tif 000013
【図１２】
2014050496.tif 000014
【図１３】
2014050496.tif 000015
【図１４】
2014050496.tif 000016